(57)【要約】  液体中の標的物質の存在を検出するためのウェアラブル装置および方法が開示される。ウェアラブル装置は例えば、飲料中の違法薬物を検出する爪であり得る。ウェアラブル装置は、標的物質との相互作用を検出するとシグナルを表示するように構成されたインジケーターを含む検出層を含む。いくつかの例では、ウェアラブル装置はラテラルフローアッセイを含み得る、
2019510208.tif 000002
【特許請求の範囲】
【請求項１】
液体中の標的物質の存在を検出するためのウェアラブル装置であって、
標的物質との相互作用を検出するとシグナルを表示するように構成されたインジケーターを含む検出層と、
前記検出層の上面に連結され、前記検出層の少なくとも一部分を曝露する少なくとも１つの開口部を含む、上層と、
前記検出層の底面に連結された底層と
を含む、ウェアラブル装置。
【請求項２】
前記底層が、前記検出層の少なくとも一部分を曝露する少なくとも１つの開口部をさらに含む、請求項１に記載のウェアラブル装置。
【請求項３】
前記底層が柔軟である、請求項１または２に記載のウェアラブル装置。
【請求項４】
前記装置を表面に接着させるために前記底層の底面に連結された接着層をさらに含む、請求項１〜３のいずれか一項に記載のウェアラブル装置。
【請求項５】
作動させると前記検出層の少なくとも一部分が外部環境に曝露されるように構成された作動手段をさらに含む、請求項１〜４のいずれか一項に記載のウェアラブル装置。
【請求項６】
取り外し可能な層を取り外すと前記検出層の少なくとも一部分が外部環境に曝露されるように構成された、前記検出層の上面に連結された取り外し可能な層をさらに含む、請求項１〜５のいずれか一項に記載のウェアラブル装置。
【請求項７】
前記検出層はクロマトグラフィー膜パッドおよびサンプルパッドを含む、請求項１〜６のいずれか一項に記載のウェアラブル装置。
【請求項８】
前記クロマトグラフィー膜パッドは前記サンプルパッドの一部分と重なる、請求項７に記載のウェアラブル装置。
【請求項９】
前記クロマトグラフィー膜パッドがマーカーをさらに含む、請求項７または８に記載のウェアラブル装置。
【請求項１０】
前記マーカーが、カルボキシフルオレセイン、2,7-ジクロロフルオレセイン、Eosin B、Eosin Y、エリスロシン、フルオレセイン、フルオレセインアミダイト、フルオレセインイソシアネート、金ナノ粒子、アプタマー、抗体、メルブロミン、フロキシンB、Rose Bengal、それらの誘導体および塩、またはそれらの組合せのうちの少なくとも１つを含む、請求項９に記載のウェアラブル装置。
【請求項１１】
前記検出層は、前記液体中へのアッセイ成分の移動を実質的に低減させる逆流低減部品をさらに含む、請求項１〜１０のいずれか一項に記載のウェアラブル装置。
【請求項１２】
前記逆流低減部品は、前記サンプルパッドと前記上層における前記少なくとも１つの開口部との間に位置する、請求項１１に記載のウェアラブル装置。
【請求項１３】
前記逆流低減部品は、未処理パッドである、請求項１１または１２に記載のウェアラブル装置。
【請求項１４】
前記検出層は、コンジュゲートパッドをさらに含む、請求項１〜１３のいずれか一項に記載のウェアラブル装置。
【請求項１５】
前記検出層は、吸収パッドをさらに含む、請求項１〜１４のいずれか一項に記載のウェアラブル装置。
【請求項１６】
前記吸収パッドは実質的にＵ字型である、請求項１５に記載のウェアラブル装置。
【請求項１７】
前記吸収パッドは前記クロマトグラフィー膜パッドと実質的に平行である、請求項１５または１６に記載のウェアラブル装置。
【請求項１８】
前記吸収パッドの一部分が前記クロマトグラフィー膜パッドの一部分と重なる、請求項１５〜１７のいずれか一項に記載のウェアラブル装置。
【請求項１９】
前記検出層内の液体の流れが向流流路を含む、請求項１〜１８のいずれか一項に記載のウェアラブル装置。
【請求項２０】
前記検出層は、前処理化学物質とコンジュゲートとを含む単一パッドを含む、請求項１〜１９のいずれか一項に記載のウェアラブル装置。
【請求項２１】
前記検出層は、ラテラルフローアッセイを含む、請求項１〜２０のいずれか一項に記載のウェアラブル装置。
【請求項２２】
前記ラテラルフローアッセイは、幅5 mm未満であり長さ13 mm未満である、請求項２１に記載のウェアラブル装置。
【請求項２３】
前記ラテラルフローアッセイは、幅約4 mmであり長さ約12 mmである、請求項２１または２２に記載のウェアラブル装置。
【請求項２４】
前記ラテラルフローアッセイは、厚さ1 mm未満である、請求項２１〜２３のいずれか一項に記載のウェアラブル装置。
【請求項２５】
前記ラテラルフローアッセイは弓状形状である、請求項２１〜２４のいずれか一項に記載のウェアラブル装置。
【請求項２６】
幅15 mm未満、長さ15 mm未満、厚さ15 mm未満である、請求項１〜２５のいずれか一項に記載のウェアラブル装置。
【請求項２７】
弓状形状である、請求項１〜２６のいずれか一項に記載のウェアラブル装置。
【請求項２８】
変形、崩壊、折れ、または突き刺しに耐える十分な構造強度を有する、請求項１〜２７のいずれか一項に記載のウェアラブル装置。
【請求項２９】
前記上層は、アクリロニトリルブタジエンスチレン、アクリロニトリルブタジエンスチレンとポリカーボネートのアロイ、アセタールポリオキシメチレン、液晶ポリマー、ナイロン6-ポリアミド、ナイロン6/6-ポリアミド、ナイロン11-ポリアミド、ポリブチレンテレフタレートポリエステル、ポリカーボネート、ポリエーテルイミド、ポリエチレン、低密度ポリエチレン、高密度ポリエチレン、ポリエチレンテレフタレートポリエステル、ポリプロピレン、ポリフタルアミド、ポリフェニレンスルフィド、ポリスチレン結晶、高衝撃性ポリスチレン、ポリスルホン、ポリ塩化ビニル、ポリフッ化ビニリデン、スチレンアクリロニトリル、熱可塑性エラストマー、熱可塑性ポリウレタンエラストマー、環状オレフィンコポリマー、およびスチレンブタジエンコポリマーのうちの少なくとも１つを含むポリマー材料を含む、請求項１〜２８のいずれか一項に記載のウェアラブル装置。
【請求項３０】
天然爪、人工爪、マニキュア層、ネイルシール、ネイルデカールのうちの少なくとも１つの上、内、または下に配置することができる、請求項１〜２９のいずれか一項に記載のウェアラブル装置。
【請求項３１】
リング、ブレスレット、ネックレス、チャーム、および紐のうちの少なくとも１つの上、内、または下に配置されるように構成された、請求項１〜２９のいずれか一項に記載のウェアラブル装置。
【請求項３２】
前記シグナルは、色つきのドットもしくは領域の出現、色つきの領域の出現の欠如、パターンの完成、線の完成、ロゴの完成、記号の完成、語の印字、チェックマーク、エモーティコン、記号、蛍光、振動、または音のうちのいずれかを含む、請求項１〜３１のいずれか一項に記載のウェアラブル装置。
【請求項３３】
前記シグナルは、電気化学的検出、分析物の存在下での重合もしくは解重合、吸熱反応、発熱反応の開始、ヒドロゲル形成、または電子デバイス支援定量化のうちのいずれかによって作られる、請求項１〜３２のいずれか一項に記載のウェアラブル装置。
【請求項３４】
前記シグナルは、装置表面積の15 %未満のシグナル表面積を有する視覚的指示である、請求項１〜３３のいずれか一項に記載のウェアラブル装置。
【請求項３５】
前記検出層は逆さになっており前記シグナルは透明な裏材上に表示される、請求項１〜３４のいずれか一項に記載のウェアラブル装置。
【請求項３６】
前記標的物質は、違法薬物、アミン含有化合物、ベンゾジアゼピン、分析物、麻薬、アルコール、デートレイプ薬、殺有害生物剤、ステロイド、ステロイド代謝産物、細菌、病原体、真菌、毒物、毒素、化学兵器剤、環境毒物、爆発物、爆発物前駆体物質、小分子の混合物、金属、揮発性有機物、アレルゲン、タンパク質、および糖類のうちのいずれかを含む、請求項１〜３５のいずれか一項に記載のウェアラブル装置。
【請求項３７】
前記液体は、ビール、シードル、栄養飲料、フレーバー飲料、フルーツ飲料、リカー、アルコール飲料、乳、乳含有飲料、ソーダ、スポーツ飲料、野菜飲料、水、ワイン、血液、非飲料水、有機溶媒、飲料水、血清、処理廃水、未処理廃水、尿、嘔吐物、およびそれらの組合せのうちのいずれかを含む、請求項１〜３６のいずれか一項に記載のウェアラブル装置。
【請求項３８】
装置が完全に浸漬されるときその境界における液体の同伴を実質的に防ぐように構成されることができる、境界を含む、請求項１〜３７のいずれか一項に記載のウェアラブル装置。
【請求項３９】
前記検出層の少なくとも一部分を曝露する前記少なくとも１つの開口部の面積は、装置表面積の30 %未満である、請求項１〜３８のいずれか一項に記載のウェアラブル装置。
【請求項４０】
装置を用いて液体媒体中の標的物質の存在を検出する方法であって、
請求項１〜３９のいずれか一項に記載のウェアラブル装置を提供すること；
前記ウェアラブル装置の一部分を前記液体媒体に晒すこと；および
前記標的物質の存在または不在を決定するために指示を観察すること
を含む、方法。
【請求項４１】
前記標的物質は、違法薬物、アミン含有化合物、ベンゾジアゼピン、分析物、麻薬、アルコール、デートレイプ薬、殺有害生物剤、ステロイド、ステロイド代謝産物、細菌、病原体、真菌、毒物、毒素、化学兵器剤、環境毒物、爆発物、爆発物前駆体物質、小分子の混合物、金属、揮発性有機物、アレルゲン、タンパク質、および糖類のうちのいずれかを含む、請求項４０に記載の方法。
【請求項４２】
前記液体は、ビール、シードル、栄養飲料、フレーバー飲料、フルーツ飲料、リカー、アルコール飲料、乳、乳含有飲料、ソーダ、スポーツ飲料、野菜飲料、水、ワイン、血液、非飲料水、有機溶媒、飲料水、血清、処理廃水、未処理廃水、尿、嘔吐物、およびそれらの組合せのうちのいずれかを含む、請求項４０または４１に記載の方法。
【請求項４３】
標的物質の存在を検出するためのウェアラブル装置を製造する方法であって、
標的物質の存在を検出するように構成された検出層を用意すること、
前記検出層の上面に上層を連結すること、および
前記検出層の底面に底層を連結すること
を含む、方法。
【請求項４４】
取り外し可能な層を前記上層に連結することをさらに含む、請求項４３に記載の方法。
【請求項４５】
前記検出層の１つ以上の位置にマーカー組成物を付与することをさらに含む、請求項４３または４４に記載の方法。
【発明の詳細な説明】
【技術分野】
【０００１】
関連出願の相互参照
本出願は、2016年1月27日に出願された米国仮特許出願第62/287,623号;2016年1月27日に出願された米国仮特許出願第62/287,677号;2016年1月27日に出願された米国仮特許出願第62/287,643号;2016年5月17日に出願された米国仮特許出願第62/337,603号;2016年5月17日に出願された米国仮特許出願第62/337,558号;および2016年5月17日に出願された米国仮特許出願第62/337,608号(これらのそれぞれの全体が参照により本明細書に組み込まれる)に対する優先権を主張する。
【０００２】
本明細書には、標的物質を検出するための装置および方法を記載する。例えば、本明細書に記載の装置および方法は、違法薬物、液体中の異なる化合物、および/または固体中の異なる化合物のリアルタイム検出のために使用され得る。
【背景技術】
【０００３】
自己免疫障害の有病率および様々なアレルギー診断が増加するにつれて、人が様々な物質をリアルタイムで検出可能になることに対する需要と必要性が増してきた。この増加はまた、薬物の使用および乱用の頻度の増加とも一致してきた。こうした傾向を考えると、従来の試験方法およびデバイスは多くの場合、標的物質に関して特定の媒体を評価するためには、あまりに煩雑すぎ、または時間がかかりすぎる。場合によっては、ある種の標的物質または化合物にはリアルタイム検出用の具体的な装置が存在しない。
【０００４】
例えば、娯楽目的または犯罪目的の様々な向精神薬および/または鎮静薬の誤用の増加はますます問題となっている。特に厄介な誤用の形は、飲料の消費者の見当識または意識を失わせる目的で、これらの薬物を通常の飲料に密かに入れるというものである。知らずに鎮静薬投与された個体はその後、利用され得、例えば、強盗または性的暴行の犠牲者になる恐れがある。薬物を使用した性的暴行は、大部分の大学が薬物を使用した性的暴行を防止するための警告および防止のプログラムならびにポリシーを定めているほどにまで、特により若年の層の間でますます日常的になっている。そのような薬物を摂取前に検出するための従来の装置は、多くの場合、使用するには煩雑すぎて、標的物質を検出するには時間がかかりすぎて、限られた物質しか検出しなかったり、選択性に欠けていたり、かつ/または他の多くの非薬物化合物に対して高感度であったりする可能性があり、不十分である。
【０００５】
別の例として、自己免疫障害または過敏性アレルギーの診断頻度が一般集団において増加している。例えば、セリアック病、ピーナッツアレルギー、ラクトースアレルギーまたは様々な摂取物質によって引き起こされる他の状態は、一般集団においてより一般的になった。これらのタイプの状態が起こる人が、特定の有害物質を摂取した場合、その人に著しい重篤な結果がもたらされ得る。
【０００６】
標的物質の安全なリアルタイム検出のための実行可能な方法、システム、および装置が必要である。
【発明の概要】
【０００７】
本特許で使用される「発明(invention)」、「発明(the invention)」、「本発明(this invention)」および「本発明(the present invention)」という用語は、以下の本特許および特許請求の範囲の主題のすべてを広範に指すことを意図する。これらの用語を含有する記述は、本明細書に記載の主題を限定したり、または以下の特許請求の範囲の意味もしくは範囲を限定したりしないと理解されるべきである。この発明の概要は、本発明の様々な態様の高レベルの概要であり、以下の発明を実施するための形態のセクションにおいてさらに説明する概念の一部を紹介する。この発明の概要は、特許請求された主題の重要な特徴または必須の特徴を特定するためのものでも、単独で使用して特許請求された主題の範囲を決定するためのものでもない。主題は、本特許の明細書全体、任意またはすべての図面および各請求項の適切な部分を参照することによって理解されるべきである。
【０００８】
本発明の様々な実施形態は、液体中の標的物質を検出するためのウェアラブル装置、およびそのウェアラブル装置を製造するための方法に関する。例えば、本明細書に記載のウェアラブル装置および方法は、違法薬物のリアルタイム検出のために使用され得る。いくつかの実施形態において、標的物質の存在を検出するためのウェアラブル装置は、標的物質との相互作用を検出するとシグナル(signal)を表示するように構成され得るインジケータを含む検出層と、検出層の上面に連結された上層と、検出層の底面に連結された底層を含む。
【０００９】
いくつかの実施形態では、液体中の標的化合物の存在を検出するための装置は、底層の底面に連結された接着層をさらに含む。いくつかの実施形態では、装置は、検出層の上面に連結された取り外し可能な層をさらに含む。いくつかのそのような実施形態において、取り外し可能な層は、取り外し可能な層を取り外すと検出層の少なくとも一部が外部環境に曝され得るように構成され得る。
【００１０】
いくつかの実施形態では、検出層は、クロマトグラフィー膜パッドおよびサンプルパッドを含む。いくつかの実施形態では、検出層は、コンジュゲートパッドをさらに含む。いくつかの実施形態では、検出層は、吸収パッドをさらに含む。いくつかの実施形態では、吸収パッドは、実質的にU字型であり得る。いくつかの実施形態では、吸収パッドは、クロマトグラフィー膜パッドと実質的に平行である。いくつかの実施形態では、検出層は、試験されている液体中へのアッセイ成分の移動を最小限化させ、著しく低減させ、あるいは実質的に排除するように構成され得る。いくつかの実施形態では、検出層は、ラテラルフローアッセイを含む。
【００１１】
いくつかの実施形態では、ウェアラブル装置は、人体上に配置され得る。いくつかの実施形態では、装置は、爪上に、場合によっては接着剤によって、配置され得る。いくつかの実施形態では、装置は、例えば指輪、ブレスレット、チャーム、紐（lanyard）、またはネックレスのような物体上または物体内に配置され得る。
【００１２】
いくつかの実施形態では、液体中の標的物質の存在を検出する方法が本明細書に記載される。いくつかの実施形態では、方法は、ウェアラブル装置を提供することと、ウェアラブル装置の一部分を液体に晒すことと、視覚的な指示（indication）を観察して標的物質の存在または不在を決定することとを含む。
【００１３】
いくつかの実施形態では、ウェアラブル装置を製造する方法が本明細書に記載される。いくつかの実施形態では、装置の製造方法は、標的物質の存在を検出するように構成された検出層を提供することと、検出層の上面に上層を連結することと、検出の底面に底層を連結することとを含む。いくつかの実施形態では、製造方法は、上層に取り外し可能な層を連結することも含む。
【００１４】
1つまたは複数の実施形態の詳細が以下の図面および説明に記載される。他の特徴、目的、および利点は、図面、説明から、および特許請求の範囲から明らかになるであろう。
【図面の簡単な説明】
【００１５】
【図１】本発明の一実施形態による装置の分解立体図である。
【００１６】
【図２】本発明の一実施形態による装置の透視図である。
【００１７】
【図３Ａ】標的物質を検出するための試験を開始する前の、本明細書に記載の通りの装置の平面図である。
【００１８】
【図３Ｂ】標的物質を検出するための試験を実施した後の、標的物質が存在しないことを示す、本明細書に記載の通りの装置の平面図である。
【００１９】
【図３Ｃ】標的物質を検出するための試験を実施した後の、標的物質が存在することを示す、本明細書に記載の通りの装置の平面図である。
【００２０】
【図４Ａ】液体中の化合物の存在を示す、本明細書に記載の通りの装置を例示する図である。
【００２１】
【図４Ｂ】液体中の化合物の不存在を示す、本明細書に記載の通りの装置を例示する図である。
【００２２】
【図５】本発明の一実施形態による装置の分解立体図である。
【００２３】
【図６】本発明の一実施形態による装置の平面図である。
【００２４】
【図７】本発明の一実施形態による装置の横断面図である。
【００２５】
【図８】本発明の一実施形態による装置の透視図である。
【００２６】
【図９】本発明の一実施形態による装置の平面図である。
【００２７】
【図１０】本発明の一実施形態による装置の下面図である。
【００２８】
【図１１】本発明の一実施形態による装置の分解立体図である。図11Aは上面透視図を示しており、図11Bは下面透視図を示している。
【００２９】
【図１２】本発明の一実施形態による装置の、上層および底層の分解立体図である。図12Aは上層を示しており、図12Bは底層を示している。
【００３０】
【図１３】本発明の一実施形態による装置を示す図である。図13Aは上面透視図を示しており、図13Bは側面図を示しており、図13Cは平面図を示しており、図13Dは正面図を示している。
【００３１】
【図１４】本発明の一実施形態による装置の上層を示す図である。図14Aは下面透視図を示しており、図14Bは下面図を示している。
【００３２】
【図１５】本発明の一実施形態による装置の底層の図である。図15Aは上面透視図を示しており、図15Bは側面図を示しており、図15Cは平面図を示しており、図15Dは正面図を示している。
【００３３】
【図１６】本発明の一実施形態による検出層を示す図である。図16Aは上面透視図を示しており、図16Bは平面図を示しており、図16Cは、図16Bの線B-Bに沿った横断面図を示している。
【００３４】
【図１７】本発明の一実施形態による装置の上層、検出層および底層の分解立体図である。
【００３５】
【図１８】本発明の一実施形態による装置の、ある実施形態を示す図である。図18Aは側面図を示しており、図18Bは、図18Aの線A-Aに沿った横断面図を示しており、図18Cは正面図を示している。
【００３６】
【図１９】本発明の一実施形態による装置の、ある実施形態を示す図である。
【００３７】
【図２０】本発明の一実施形態による装置の、ある実施形態を示す図である。
【００３８】
【図２１】本発明の一実施形態による装置の、ある実施形態を示す図である。
【００３９】
【図２２】本発明の一実施形態による、アッセイカートリッジを含む装置の、ある実施形態を示す図である。
【００４０】
【図２３】本発明の一実施形態による装置を示す図である。図23Aは上面透視図を示しており、図23Bは下面透視図を示している。
【００４１】
【図２４】本発明の一実施形態による装置を示す図である。図24Aは上面透視図を示しており、図24Bは下面透視図を示している。
【００４２】
【図２５】本発明の一実施形態による、検出層の立体横断面図、および検出層を通る液体の流れの方向を示す図である。
【００４３】
【図２６】本発明の一実施形態による、検出層の平面図、および検出層を通る液体の流れの方向を示す図である。
【００４４】
【図２７】本発明の一実施形態による、装置の一部を切り抜いた透視図、および装置を通る液体の流れの方向を示す図である。
【００４５】
【図２８】本発明の一実施形態による検出層の分解立体横断面図である。
【００４６】
【図２９】本明細書に記載の一部の実施形態による、比較アッセイおよび本発明のアッセイの試験結果を示す図である。
【００４７】
【図３０】本明細書に記載の一部の実施形態による、比較アッセイおよび本発明のアッセイの試験結果を示す図である。
【００４８】
【図３１】本明細書に記載の一部の実施形態による、比較アッセイおよび本発明のアッセイの試験結果を示す図である。
【００４９】
【図３２】本明細書に記載の一部の実施形態による、比較アッセイおよび本発明のアッセイの試験結果を示す図である。
【発明を実施するための形態】
【００５０】
本発明の実施形態の主題は、法的要件を満たすように特定性を伴って本明細書に記載されるが、本説明は必ずしも将来の特許請求の範囲を限定するものではない。特許請求される主題は他の方法で具体化され得、異なる要素またはステップを含み得、かつ他の既存または将来の技術と併せて使用され得る。本説明は、個々のステップの順番または要素の配列が明示的に記載されているときを除いて、様々なステップもしくは要素のうちまたは間で任意の特定の順番または配列を意味するものと解釈されるべきではない。例証的な例は、本明細書で論じる一般的な主題に読者を導くために記載されており、開示されている概念の範囲を限定するものではない。以下のセクションでは様々なさらなる実施形態を説明し、例証的な実施形態を説明するために、同様の番号が同様の要素および方向性の説明を指す図面を参照して例が使用されるが、例証的な実施形態と同様、本発明を限定するために使用されるべきではない。
【００５１】
そうではないことが示されていない限り、以下の明細書に記載の数値パラメータは、本発明によって得ようとする所望の特性に応じて変化し得る近似値である。少なくとも、また特許請求の範囲に対する均等論の適用を制限する試みとしてではなく、各数値パラメータは、少なくとも、報告された有効数字の数を考慮し、通常の四捨五入を適用することによって解釈されなければならない。
【００５２】
本発明の広範囲を示す数値的範囲およびパラメータは近似値であるが、具体的な例に記載される数値は可能な限り正確に報告する。しかしながら、任意の数値は、それらのそれぞれの試験測定値にみられる標準偏差から必然的に生じる一定の誤差を本質的に含有する。さらに、本明細書に開示されているすべての範囲は、その範囲に含まれるありとあらゆる部分範囲を包含すると理解されるべきである。例えば、記載された「1から10」の範囲は、最小値1から最大値10の間の(かつそれらを含む)ありとあらゆる部分範囲、すなわち、1以上、例えば、1から6.1の最小値で始まり、10以下、例えば、5.5から10の最大値で終わるすべての部分範囲を含むと見なされるべきである。
【００５３】
本明細書には、標的物質を検出するための方法およびウェアラブル装置を記載する。いくつかの実施形態において、方法および装置は、液体中の標的化合物を検出し得る。いくつかの実施形態において、方法および装置は、固体中の標的物質を検出し得る。例えば、本明細書に記載の方法および装置は、違法薬物、例えば、アミン含有化合物もしくは薬物、ベンゾジアゼピン、アミン含有化合物もしくは薬物、分析物、乱用麻薬、アルコール、薬物、デートレイプ薬、または他の標的化合物もしくは分析物のリアルタイム検出のために使用され得る。別の例として、本明細書に記載の方法および装置は、ある種のタンパク質、糖類、またはアレルゲン、例えば、グルテン、ピーナッツタンパク質、もしくはラクトースのリアルタイム検出のために使用され得る。いくつかの実施形態において、本明細書に記載の方法および装置は、他の物質、例えば、殺有害生物剤、ステロイドおよびそれらの代謝産物、細菌、病原体、真菌、毒物、毒素、化学兵器剤、環境毒物、爆発物とそれらの調製に使用される出発物質、ならびに小分子の混合物、金属、揮発性有機物、および他の標的化合物のリアルタイム検出のために使用され得る。
【００５４】
いくつかの実施形態において、本明細書に記載の方法および装置は、ケタミン、4-ヒドロキシブタン酸(GHB)、エフェドリン、メタンフェタミン、アンフェタミン、フルニトラゼパム、エクスタシーもしくはモーリーとしても公知の3,4-メチレンジオキシメタンフェタミン(MDMA)、テトラヒドロカンナビノール(THC)、およびクロナゼパムなどのベンゾジアゼピンなど、ならびにその他などのうちの標的物質、分析物、または化合物のリアルタイム検出のために使用され得る。いくつかの実施形態において、本明細書に記載の方法および装置は、食品中もしくは液体中の標的物質、分析物、または化合物のリアルタイム検出のために使用され得る。
【００５５】
いくつかの例では、液体は、消費液体を含む。例えば、消費液体は、ビール、シードル、栄養飲料、フレーバー飲料、フルーツ飲料、リカーまたは他のアルコール飲料、乳、乳含有飲料、ソーダ、スポーツ飲料、野菜飲料、水、ワイン、およびそれらの組合せを含み得る。いくつかの例では、液体は、非消費液体(例えば、血液、非飲料水、有機溶媒、飲料水、血清、処理廃水、未処理廃水、尿、嘔吐物、汗、涙、生殖液、他の体分泌物、またはそれらの組合せ)を含む。液体は、溶液、懸濁液、またはエマルションを含み得る。いくつかの例では、液体は、その中に懸濁する固体粒子または氷を含有し得る。いくつかの例では、液体媒体は固形物からの液体抽出物を含み得る。他の場合では、パンからグルテンを抽出するなど、固体材料中の分析物を検出するために方法および装置が使用され得る。いくつかの例では、栄養補助食品、化粧品、または土壌中の分析物を検出するために方法および装置が使用され得る。別の例では、重金属の存在を検出するために方法および装置が使用され得る。
【００５６】
いくつかの例では、ウェアラブル装置は、物体の表面の上に配置され得る。いくつかの例では、装置は、物体の中に配置され得、一体化され得、または組み込まれ得る。他の例では、装置は、物体の表面の下に配置され得る。いくつかの例では、ウェアラブル装置は、人体の上に配置され得る。本明細書に記載されるウェアラブルは、装飾として、保護として、またはその他の目的のために身体上あるいは身体の一部の上に配置されるものを含む。配置は、身体への直接的接触であっても間接的接触であってもよい。着用される物品の例としては、合成爪、ネイルデカール、指輪、ブレスレット、チャーム、ネックレス、および紐が挙げられるが、これらに限定されない。
【００５７】
いくつかの実施形態において、装置は、人体の上に接着剤を用いて配置される。装置を所望の表面に接着するために、接着剤は、底層の底面と連結され得る。適した物体は、例えば、爪、人工爪、マニキュア層、ネイルシール(fingernail sticker)、ネイルデカール、シール、デカール、ネイルラップ、メッシュネイルラップ、リング、ブレスレット、ネックレス、チャーム、紐、または他の任意の適切な表面もしくは構造を含む。いくつかの実施形態において、装置は、装置の所期の用途に適合する柔軟度を有し得る。いくつかの実施形態において、底層は、所期の用途に適合するために柔軟であり得る。いくつかの実施形態において、検出層は、所期の用途に適合するために柔軟であり得る。例えば、装置が弓状構造(例えば爪)の上に配置され得る場合、装置は屈曲し得、爪の弓状表面の上に配置され得る。
【００５８】
いくつかの実施形態において、装置は、約0.1ミリメートル（mm）から約10mmの範囲の厚さを備える。いくつかの実施形態において、装置は、約1mmから約5mmの範囲の厚さを備える。いくつかの実施形態において、装置は、約0.4mm以下、0.5mm以下、1mm以下、2mm以下、3mm以下、4mm以下、5mm以下、6mm以下、7mm以下、8mm以下、9mm以下、または10mm以下の厚さを有し得る。
【００５９】
いくつかの実施形態において、装置は、約10mmから約25mm、または約10mmから約20mmの長さを有し得る。いくつかの実施形態において、装置は、約10mm以下、11mm以下、12mm以下、13mm以下、14mm以下、15mm以下、16mm以下、17mm以下、18mm以下、19mm以下、20mm以下、21mm以下、22mm以下、23mm以下、24mm以下、25mm以下、26mm以下、27mm以下、28mm以下、29mm以下、または30mm以下の長さを有し得る。
【００６０】
いくつかの実施形態において、装置は、約17mmの幅、例えば、約16mm、約15.5mm、約15mm、約14.5mm、約14mm、約13.5mm、または約13mmの幅くらいまでを備える。いくつかの例では、装置は、約17mmから約13mmの幅を有し得る。いくつかの実施形態において、装置は、約4mmの幅、例えば、約3.8mm、約3.6mm、約3.4mm、約3.2mm、約3mm、約2.8mm、または約2.6mmの幅くらいまでを備える。いくつかの実施形態において、装置は、約10mm以下、11mm以下、12mm以下、13mm以下、14mm以下、15mm以下、16mm以下、17mm以下、18mm以下、19mm以下、20mm以下、21mm以下、22mm以下、23mm以下、24mm以下、25mm以下、26mm以下、27mm以下、28mm以下、29mm以下、または30mm以下の幅を有し得る。
【００６１】
本明細書に記載の装置のいくつかの実施形態は、約25mm未満の長さ、約15mmの幅、および約5mmの厚さを有し得る。いくつかの実施形態において、本明細書に記載の装置は、約20mm未満の長さ、約10mmの幅、および約2.5mmの厚さを有し得る。
【００６２】
いくつかの実施形態において、装置は、使用中に気体の透過は許容することによって試験の完全性は損なわずに外部環境からの保護を提供するように、ラミネートされ得る。いくつかの実施形態において、装置は、例えば取り外し可能な層の取り外しまたはその他の方法で装置が作動するまで、防水性、または実質的に防水性であり得る。
【００６３】
本明細書に記載のある特定の実施形態は、液体中の化合物の存在を検出するための装置であって、検出層を含む装置を提供する。いくつかの実施形態において、検出層は、特定の媒体に曝されると標的物質の存在を検出し得る。いくつかの実施形態において、検出層は、標的物質または特定の化合物に関して試験される液体を受け入れると標的物質または特定の化合物の存在を検出し得る。例えば、検出層が当該液体に曝され得、次いで、標的物質の存在を示す検出層と液体との間の特定の相互作用が存在するか判断するために使用者によってモニタリングされ得る。いくつかの実施形態において、標的物質は、アミン含有化合物またはベンゾジアゼピンであり得る。いくつかの実施形態において、標的物質は、タンパク質または糖類であり得る。
【００６４】
いくつかの実施形態において、検出層は、マーカー、ラテラルフローアッセイ、ナノ流体デバイス、マイクロ流体デバイス、電気化学センサ、または膜を含むマトリックスのうちの少なくとも1つを含み得る。いくつかの実施形態において、検出層は、毛管作用により検出層を通る液体の吸い上げまたは引き入れを利用することによって作用し得る。いくつかの実施形態において、検出層は、複数のセクションを通じて流体を運ぶ一連のキャピラリーセクションに基づいて作用し得る。いくつかの実施形態において、検出層は、層内のチャネルを通る流体または特定の化合物の流れを制御し導くための少なくとも1つのチャネルを含み得る。さらにいくつかの他の実施形態において、検出層は、例えば、相分離または他の区別する印(indicia)によって、検出のために特定の化合物または標的物質を分離する膜を含み得る。
【００６５】
いくつかの実施形態において、検出層は、物体の表面の上、中、および/または下に配置され得る。ある場合では、物体は、爪、人工爪、マニキュア層、ネイルシール、プレスオンネイル、ネイルデカール、シール、リング、ブレスレット、ネックレス、チャーム、紐、または他の適切な表面であり得る。
【００６６】
場合によっては、検出層は、吸収材をさらに含む。いくつかの実施形態において、検出層は、乾燥剤で前処理され得る。吸収材は、クロマトグラフィーペーパー、シリカゲル、またはアルミナを含み得る。
【００６７】
ある場合では、検出層は、ラテラルフローアッセイを含む。いくつかの例では、ラテラルフローアッセイは、複数の化合物を検出する試験のためにマルチプレックス化され得る。いくつかの実施形態において、ラテラルフローアッセイを含む装置がラミネートされ得る。いくつかの実施形態において、ラテラルフローアッセイは弓形であり得る。本装置に含まれ得るラテラルフローアッセイは、Undercover Colors, Inc.によって出願され本願と同日に出願された「Methods and Apparatus for Detecting Compounds in Liquids」と題するPCT特許出願（これは、その全体が参照により組み込まれる）に説明され、記載されている。
【００６８】
いくつかの実施形態において、検出層は、単層、膜(film)、またはカートリッジを含む。いくつかの実施形態において、検出層は、検出層を構成する複数の層または段を含む。例えば、検出層は、液体を吸収し、その内部を液体が進み得るマトリックスを与え、かつマトリックス内部を進む液体を集めるための貯蔵部(reservoir)を与えるように構成された複数の副層または段を含み得る。いくつかのそのような実施形態において、複数の副層は検出層を含む。いくつかの実施形態において、検出層は、2つ、3つ、4つ、5つ、6つ、もしくは7つまたはそれ以上の副層を含み得る。例えば、検出層は、最大20の副層を含み得る。いくつかの実施形態において、この検出層は、本明細書において検出サブアセンブリ(subassembly)と呼ばれ得る。
【００６９】
いくつかの実施形態において、サンプルパッド材料が検出層内に含まれ得る。サンプルパッドは、検出層の濡れを助け得る。サンプルパッドは、装置に流入する液体の量を制限し得る。いくつかの実施形態において、サンプルパッドが飽和すると、液体の吸収速度は低下し得、したがって、吸収される液体の量を制限して、装置への液体の流入を制限し得る。
【００７０】
いくつかの実施形態において、検出層は、逆流あるいは試験液体中へのアッセイ成分(assay component)の移動を最小限にし、大幅に低減し、または実質的に排除するように構成され得る。この逆流、あるいは検出層から試験液体へ構成成分(constituent)が流れることの可能性は、特に消費用液体の試験において望ましくない場合がある。いくつかの実施形態において、可能性のある逆流あるいは反対流は、検出層からの試験液体および化学添加剤を含み得る。逆流の可能性に対処するため、いくつかの実施形態において、検出層は、逆流低減部品(backflow reduction component)をさらに含み得る。いくつかの実施形態において、逆流低減部品は、上層内のサンプルポートまたは開口部とサンプルパッドとの間の未処理パッドであり得る。未処理パッドは、装置を試験液体に導入すると未処理パッドが飽和することによって物質が試験液体に戻る流れの可能性を最小限にし、大幅に低減し、または実質的に排除し得る。試験液体に導入されると、飽和した未処理パッドは、サンプルパッドから試験液体への勾配および流れの駆動力を最小限にすることによって逆流を抑制する役目を果たし得る。いくつかの実施形態において、飽和した未処理パッドによるこの流れの抑制は、検出層からの化学添加剤または緩衝剤と試験液体との間の可能性のある接触を少なくとも有意に低減し得る。いくつかの実施形態において、飽和した未処理パッドによる流れの抑制は、本質的に検出層からの化学添加剤または緩衝剤が試験液体と接触しないようにするのに役立ち得る。いくつかの実施形態において、試験液体への逆流を実質的に防止するために、上層と底層の設計および構成が検出層を十分に包み得る。この実施形態において、液体が進入するための開口部は、装置のサイズおよび表面積と比較して小さい。例えば、ウェアラブル装置が液体に導入されるとき、液体のための比較的小さい開口部は、唯一の可能性のある逆流路となる。実質的に小さいサイズの開口部は、逆流の可能性を低減する。いくつかの例では、逆流低減部品は、アッセイ成分の少なくとも約70%、例えば、少なくとも約75%、少なくとも約80%、少なくとも約85%、少なくとも約90%、少なくとも約95%、または少なくとも約99%を、液体サンプル内に移動することから防ぎ得る。
【００７１】
いくつかの実施形態において、装置は、装置が完全に浸漬されるときその境界における液体の同伴(entrainment)を実質的に防止し得る、境界を含む。いくつかの例では、境界は、装置の周縁部または2つの連結された縁部の外周を指す。いくつかの実施形態において、装置は、装置が完全に浸漬されるとき、その境界における液体の同伴を実質的に防止するように構成され得る境界を含む。境界の構成は、接着剤、ボンド(bond)、溶接、圧縮力、嵌め合い可能な配列(スタッド/アンチスタッド)、静電的相互作用、および磁気的相互作用または他の方法のいずれか1つによって実現され得る。そのような場合、装置の液体中への完全な浸漬が検出層に影響しないようにし得る。いくつかの実施形態において、液体が進入するための開口部は、封入された装置のサイズおよび表面積と比較して小さい。例えば、装置が液体に導入されるとき、液体のための比較的小さい開口部は、検出層への唯一の流路となる。実質的に小さいサイズの開口部は、検出層が溢れることの可能性を低減する。
【００７２】
場合によっては、開口部の面積は、装置の上部の全表面積の約30%未満、例えば、約29%、28%、27%、26%、25%、24%、23%、22%、21%、20%、19%、18%、17%、16%、15%、14%、13%、12%、11%、10%、9%、8%、7%、6%、5%、4%、3%、2%、および1%の開口部の面積を占める。いくつかの例では、開口部の面積は、約1%から30%であり得る。場合によっては、開口部の面積は、装置の上部の全表面積の約1%未満、例えば、約0.9%、0.8%、0.7%、0.6%、0.5%、0.4%、0.3%、0.2%、0.1%の開口部の面積を占める。いくつかの例では、開口部の面積は、約5%から0.1%であり得る。
【００７３】
いくつかの実施形態において、芯(wick)または吸収層の吸収能力もまた、逆流の可能性を低減し得る。例えば、芯または吸収層は、検出層の所期のサンプル体積よりも大幅に大きい吸収パッド容量を有し得る。大幅により大きい吸収パッド容量は、実質的にすべてのサンプルおよび同伴する検出層化学物質が吸収層内に引き入れられるようにすることによって、逆流の可能性を低減し得る。いくつかの実施形態において、吸収パッドの容量は、所期のサンプル体積よりも50から100%大きくなり得る。
【００７４】
いくつかの実施形態において、検出層は、液体の受け入れが可能で、かつ液体の移動を可能にするクロマトグラフィー膜パッドを含む。ある場合では、クロマトグラフィー膜は、少なくとも第1の場所に抗分析物抗体-粒子コンジュゲートを、少なくとも第2の場所に分析物-コンジュゲートタンパク質を含み得る。いくつかの実施形態において、クロマトグラフィー膜パッドはさらに、少なくとも第3の場所に抗種（抗動物種）抗体を含む。ある場合では、装置は、液体の受け入れが可能なサンプルパッドをさらに含み、場合によっては、液体が、サンプルパッドからクロマトグラフィー膜に移動する。いくつかの実施形態において、液体は、クロマトグラフィー膜から芯または吸収パッドに移動する。いくつかの実施形態において、検出層は、コンジュゲートパッドをさらに含む。いくつかの実施形態において、サンプルパッドとコンジュゲートパッドが接続され得る。他の実施形態において、サンプルパッドとコンジュゲートパッドが組み合わせられ得る。いくつかの実施形態において、サンプルパッド-コンジュゲートパッドの少なくとも一部分は、クロマトグラフィー膜パッドと重なる。いくつかの実施形態において、サンプルパッド-コンジュゲートパッドと吸収パッドは接続されない。いくつかの実施形態では、吸収パッドは、それがクロマトグラフィー膜パッドの一部分と重なる領域を除き、不透過性膜でクロマトグラフィーパッドから分離され得る。
【００７５】
いくつかの実施形態において、検出層は、検出層を通る液体の流れを、検出層の第1の端部から検出層の第2の端部に概して水平の向きに、例えば、実質的に単一の水平面に沿って導くように構成され得る。他の実施形態において、検出層は、検出層を通る液体の流れを概して垂直の向きに、例えば、実質的に複数の垂直面を通して、すなわち、検出層の底部から検出層の上部に導くように構成され得る。いくつかの実施形態において、検出層は、検出層を通る液体の流れを複数の経路に分割するように構成され得る。いくつかの実施形態において、液体は、第1の経路から、第1の経路と実質的に平行である第2の曲がった経路へと流れ得る。いくつかの実施形態において、この第2の経路は、第1の経路の方向に対して向流で流れ得る。
【００７６】
いくつかの実施形態において、検出層の構成、具体的にはクロマトグラフィー膜パッドと吸収材の互いに対する関係が、検出層の一部にある流路を事実上向流にし得る。いくつかの例では、吸収パッド内の液体の流れは、クロマトグラフィー膜パッド内の流れの方向に対して向流である。いくつかの実施形態において、検出層の構成は、検出層の長さ全体にわたって単一方向の流路を維持する従来の検出層よりも大幅に短い検出層の全長を可能にし得る。クロマトグラフィー膜パッドと吸収パッドを重ねることによって、液体の流路全体の長さを低減することなく、検出層の全長を大幅に低減し得る。いくつかの実施形態において、検出層の全長は、検出層内の向流の流路を利用することによってさらに低減し得る。
【００７７】
ラテラルフローアッセイの小型化の特定の利点は、試験結果の適時性である。例えば、80mm長のクロマトグラフィー膜を有する従来のラテラルフローアッセイは、試験結果の表示に最短5分間必要である。対照的に、本明細書に記載の小型化アッセイのいくつかの実施形態は、はるかに速く試験結果を表示する。例えば、本明細書に記載の緩衝液配合物を含む12mmの検出層は、試験結果の表示にわずか約30秒を要するのみである。小型化ラテラルフローアッセイの別の利点は、試験流体の体積の低減である。いくつかの例では、従来の80mmのラテラルフローアッセイにおける80μLと比べて、本明細書に記載の装置が要するサンプル体積は15μL以下である。いくつかの実施形態において、サンプル体積は、40μL未満、30μL未満、20μL未満、10μL未満、または5μL未満である。いくつかの実施形態において、試験結果は、1分未満、30秒未満、15秒未満、10秒未満、または5秒未満で表示される。
【００７８】
いくつかの実施形態において、検出層は、クロマトグラフィー膜を覆うカバーをさらに含む。ある場合では、カバーは、気体を逃がすことができる開口部を含み得、またはカバーは気体透過性であり得る。場合によっては、カバーは、不透明なカバー、色付きのカバー、透明なカバー、または半透明なカバーであり得る。いくつかの実施形態において、カバーはステンシルパターンを画定し、これは、「yes」、「no」、「safe」、「OK」、または
2019510208.tif 000003
などの指示を含み得る。いくつかの実施形態において、ステンシルパターンは、クロマトグラフィー膜の第2の位置の上に配置され得る。そのようなパターンは、試験結果を理解しやすくすることによって使用者にとって有用になり得る。
【００７９】
本明細書に記載のある特定の実施形態の検出層は、特定の化合物または標的物質が存在し得るかについて指示またはシグナル機構を使用者に示し得る。例えば、指示は、色付きのドットもしくは領域の出現、色付きの領域の出現の不在、終了線(completing line)、ロゴ、パターンもしくは記号、「SAFE」、「OK」、「YES」、もしくは「NO」などの語の印字、チェックマーク、
2019510208.tif 000004
などのエモーティコンもしくは記号、蛍光、振動、または音を含み得る。いくつかの実施形態において、指示は、語または記号の一部の出現を含み得、例えば、指示は、語「SAFE」の文字「A」であり得る。いくつかの実施形態において、検出層は、電気化学検出、分析物の存在下での重合もしくは解重合、吸熱および発熱反応の開始、ヒドロゲル形成、ならびに例えばスマートフォンアプリケーションまたは他のデバイスを用いたデバイス支援定量化によって使用者に指示を示し得る。いくつかの実施形態において、指示の存在は、標的物質が存在し得ることを使用者に示し得る。他の実施形態において、指示の存在は、標的物質が不在であり得ることを使用者に示し得る。
【００８０】
いくつかの実施形態において、検出層は、使用者への連絡の一部を示す、例えば、事前印刷された語または記号を完成する指示を含み得る。例えば、検出層(または他の層、例えば、上層)は、文字「S」、「F」、および「E」などの事前印刷または事前形成された字を含み得る。指示は、文字「A」を含み得、かつ事前形成された文字「S」および「F」の間に「A」の指示を表示するよう揃い得、したがって、事前印刷または事前形成された字の前後関係において、試験の結果が「S A F E」と表示される。
【００８１】
いくつかの実施形態において、検出層は、複数の指示またはシグナル機構を含み得る。例えば、検出層は、第1のインジケータおよび第2のインジケータを含み得る。いくつかのそのような実施形態において、第1のインジケータはコントロールに対応し得、第2のインジケータは、標的物質の肯定的または否定的な存在に対応し得る。いくつかの実施形態において、コントロールに対応する第1のインジケータが使用者から見ることができ、検出層が液体に対して適切かつ十分に配置されたことを使用者に示す。標的物質の検出に対応する第2のインジケータが見え得る。いくつかの実施形態において、第1のインジケータおよび第2のインジケータは、単一の合わせた指示を示すように相補的であり得る。例えば、限定するものと見なされるべきではないが、第1のインジケータは水平線(「─」)であり得、第2のインジケータは、第1のインジケータと交差する垂直線(「│」)であり得る。例の第1のインジケータと例の第2のインジケータの両方が見えるとき、合わせた指示または字は「プラス」または十字(「+」)として出現し得る。別の例として、限定するものと見なされるべきではないが、第1のインジケータは、文字「S」、「F」、および「E」であり得、第2のインジケータは文字「A」であり得る。例の第1のインジケータと例の第2のインジケータの両方が見えるとき、合わせた指示は「S A F E」として出現し得る。当業者なら理解する通り、第1のインジケータおよび第2のインジケータの他の組合せも利用され得る。
【００８２】
いくつかの実施形態において、検出層は、約50ミクロンから約1000ミクロンの範囲の厚さを備える。いくつかの実施形態において、検出層は、約200ミクロンから約400ミクロンの範囲の厚さを備える。いくつかの実施形態において、検出層は、約100ミクロン以下、200ミクロン以下、400ミクロン以下、600ミクロン以下、800ミクロン以下、または1000ミクロン以下の厚さを有し得る。
【００８３】
いくつかの実施形態において、検出層は、様々な表面処理にかけられる。例えば、検出層は、オゾン処理にかけられる。いくつかの実施形態において、検出層は、層の親水性を増大し得る、場合によっては、層の濡れ特性を改善し得る1つまたは複数の表面処理にかけられ得る。いくつかの実施形態において、表面処理は、装置が液体に曝されるときの開口部でのエアポケットまたは気泡の形成防止を助け得る。
【００８４】
いくつかの実施形態において、検出層は、複数の標的物質の存在を検出するように構成され得る。例えば、検出層は、1つの特定の検出層上で複数の違法薬物を検出するように構成され得る。いくつかの実施形態において、別の薬物の検出を妨害することなく複数の薬物の検出を可能にするために、検出層は物理的に分割され得る。別の例として、単一の検出層上で複数の薬物を試験するために、検出層は、ある種の成分とマルチプレックス化され得る。いくつかの実施形態において、装置は、単一の検出層を構成するように互いに隣接して位置する複数の分離した物理的なセクションを含み得る。例えば、複数のマトリックスが横に並んで配置され、各マトリックスが液体中の異なる化合物の存在を試験するように構成され得る。
【００８５】
いくつかの実施形態において、検出層を含む装置はまた、少なくとも1つの別の層を含み得る。いくつかの実施形態において、装置は、上層、底層、および取り外し可能な層のうちの少なくとも1つを含み得る。いくつかの実施形態において、装置は、本明細書に記載の層の任意の組合せを含み得る。
【００８６】
本明細書に記載の装置はまた、検出層の上面の上に位置する上層を含み得る。いくつかの実施形態において、上層は、接着剤を使用して検出層に連結され得る。いくつかの実施形態において、接着剤は、アクリレートコポリマーマイクロスフェア、アクリル酸およびメタクリル酸エステルホモポリマーまたはコポリマー、ブチルゴムベースの系、シリコーン、ウレタン、ビニルエステルおよびアミド、オレフィンコポリマー材料、ジアルキルフマレート、天然ゴムまたは合成ゴム、ならびにホットメルト接着剤を含む同種のものを含み得る。
【００８７】
本明細書に記載の連結は、直接的または間接的であり得る。層は、接着剤、ボンド、溶接、圧縮力、嵌め合い可能な表面(スタッド/アンチスタッド)、静電的相互作用、磁気的相互作用によって、その他の方法で表面を覆うことによって、または当業者に公知の他の方法によって連結され得る。
【００８８】
他の実施形態において、上層は、それぞれの層の少なくとも一部をヒートシールすることによって、2つの層を超音波溶接することによって、紫外線硬化性接着剤の使用によって、または感圧接着剤の使用によって、検出層に連結され得る。いくつかの実施形態において、検出層を上層に連結するために、当業者に公知の他の適した結合材料または結合方法が使用され得る。
【００８９】
いくつかの実施形態において、上層は、それを通じて検出層の少なくとも一部が曝され得る、開口部を画定する。いくつかの実施形態において、開口部は、試験される液体がそれを通じて検出層に吸収され得る、チャネルを与える。いくつかの実施形態において、開口部は、試験される液体がそれを通じて検出層に吸収され得るチャネルを与えるために、上層の端部または境界縁部に、例えば先端部に位置し得る。
【００９０】
他の実施形態において、検出層は、試験される液体がそれを通じて検出層に吸収され得るチャネルを与えるために、検出層の端部または境界に、例えば先端部に開口部を含み得る。検出層の端部または境界は、装置の端部または境界に近接して位置し得る。
【００９１】
上層は、不透明なカバー、色付きのカバー、透明なカバー、または半透明なカバーであり得る。任意選択で、上層は、1つまたは複数の穿孔を含み得る。これらの穿孔は、装置の使用中に気体物質を逃がすことを可能にし得る。いくつかの実施形態において、上層は気体透過性膜であり得る。流体が検出層によって吸収されると、試験内の気体または空気が置き換えられ得、置き換えられた気体を逃がしたり、または抜いたりすることが必要になり得る。
【００９２】
上層が不透明、色付き、または半透明であり得る例では、上層は、任意選択で、上層の上に1つまたは複数の透明窓を含み得る。いくつかの実施形態において、検出層の指示またはシグナル機構が透明窓を通して目に見え得るように、透明窓は、検出層上に揃えて配置され得る。窓は、開口部、アパーチャ(aperture)、ボイド、レンズ、または同種のものを含み得る。いくつかの実施形態において、上層の透明窓は、試験の結果を使用者に示し得る「SAFE」、「OK」、「YES」、もしくは「NO」などのある種の語、チェックマーク、終了線、ロゴ、パターンまたは記号、
2019510208.tif 000005
などのエモーティコンもしくは記号として成形され得る。
【００９３】
いくつかの実施形態において、上層はラミネート層を含む。いくつかの実施形態において、上層は薄膜を含む。上層は、異なる材料で構成され得る。いくつかの実施形態において、薄膜は、金属材料、ポリマー材料、セラミック材料、無機材料、および他の適した材料のうちの少なくとも1つを含む。いくつかの実施形態において、上層は、ABS(アクリロニトリルブタジエンスチレン)、ABS+PC(ABS+ポリカーボネートアロイ)、アセタール(POM)(ポリオキシメチレン)、LCP(液晶ポリマー)、ナイロン6-PA(ポリアミド)、ナイロン6/6-PA(ポリアミド)、ナイロン11-PA(ポリアミド)、PBTポリエステル(ポリブチレンテレフタレート)、PC(ポリカーボネート)、PEI(ポリエーテルイミド)、PE(ポリエチレン)、LDPE(低密度ポリエチレン)、HDPE(高密度ポリエチレン)、PETポリエステル(ポリエチレンテレフタレート)、PP(ポリプロピレン)、PPA(ポリフタルアミド)、PPS(ポリフェニレンスルフィド)、PS(ポリスチレン結晶)、HIPS(高衝撃性ポリスチレン)、PSU(ポリスルホン)、PVC(ポリ塩化ビニル)、PVDF(ポリフッ化ビニリデン)、SAN(スチレンアクリロニトリル)、TPE(熱可塑性エラストマー)、TPU(熱可塑性ポリウレタンエラストマー)、それらのコポリマー、金属箔、およびそれらの混合物のうちの1つまたは複数を含み得る。ポリマー材料は、熱硬化性または熱可塑性であり得る。これらのポリマーは、典型的には、1,000〜50,000psiの範囲内の引張強度;5,000から5,000,000psiの曲げ弾性率;0.1ft-lb/inノッチ付きアイゾットから30ft-lb/inノッチ付きアイゾットの衝撃強さを有する。
【００９４】
いくつかの実施形態において、上層は、様々な表面処理にかけられる。例えば、上層は、オゾン処理にかけられ得る。いくつかの実施形態において、上層は、層の親水性を増大し得る、場合によっては、層の濡れ特性を改善し得る1つまたは複数の表面処理にかけられ得る。いくつかの実施形態において、表面処理は、装置が液体に曝されるときの開口部でのエアポケットまたは気泡の形成防止を助け得る。
【００９５】
いくつかの実施形態において、上層は、約10ミクロンから約1000ミクロンの範囲の厚さを備える。いくつかの実施形態において、上層は、約200ミクロンから約400ミクロンの範囲の厚さを備える。いくつかの実施形態において、上層は、約100ミクロン以下、200ミクロン以下、400ミクロン以下、600ミクロン以下、800ミクロン以下、または1000ミクロン以下の厚さを有し得る。
【００９６】
いくつかの実施形態において、装置は、装置が所期の結果を達成するように機能しなくなるほど装置を損傷するであろう外力からの構造変化に耐える十分な構造強度を有する。いくつかの実施形態では、上層が装置の構造強度を与え、または、装置の実質的にすべての構造強度を与える。いくつかの実施形態では、(以下で説明する)底層が装置の構造強度を与え、または、装置の実質的にすべての構造強度を与える。いくつかの実施形態では、上層および底層が装置の構造強度を与える。装置の性質に応じて、装置を損傷し得る構造変化は、変形、崩壊、折れ、突き刺しおよび同種のものを含み得る。いくつかの実施形態において、装置は、変形、崩壊、折れ、または突き刺しに耐える十分な構造強度を有し得る。非限定的な例として、構造変化は：液流を制限し得る；チャネルの液体が意図しない形で流れる原因になり得る；検出物質の望ましくない蓄積の原因になり得る；または不正確な結果が生じる原因になり得る。装置を損傷し得る構造変化のタイプは、少なくとも部分的には、装置設計に依存し得る。
【００９７】
いくつかの実施形態において、装置の構造強度は、標的物質の存在を検出する装置の能力に影響せずに0.1ニュートンを超える軸圧縮外力(external axial compressive force)および40ニュートンを超える垂直圧縮力に耐えるのに十分であり得る。いくつかの実施形態において、装置は、標的物質の存在を検出する装置の能力に影響せずに0.25ニュートンを超える軸圧縮外力および30ニュートンを超える垂直圧縮力に耐え得る。いくつかの実施形態において、装置は、標的物質の存在を検出する装置の能力に影響せずに0.5ニュートンを超える軸圧縮外力および20ニュートンを超える垂直圧縮力に耐え得る。いくつかの実施形態において、装置は、標的物質の存在を検出する装置の能力に影響せずに20ニュートンを超える軸圧縮外力および35ニュートンを超える垂直圧縮力に耐え得る。いくつかの実施形態において、装置は、標的物質の存在を検出する装置の能力に影響せずに60ニュートンを超える軸圧縮外力および100ニュートンを超える垂直圧縮力に耐え得る。
【００９８】
いくつかの実施形態において、装置は、標的物質の存在を検出する装置の能力に影響せずに1000ニュートンの垂直外力に耐え得る。いくつかの実施形態において、装置は、標的物質の存在を検出する装置の能力に影響せずに2500ニュートンの外力に耐え得る。
【００９９】
本明細書に記載の装置はまた、検出層の底面に連結された底層を含み得る。いくつかの実施形態において、底層は、接着剤を使用して検出層に連結され得る。いくつかの実施形態において、接着剤は、アクリレートコポリマーマイクロスフェア、アクリル酸およびメタクリル酸エステルホモポリマーまたはコポリマー、ブチルゴムベースの系、シリコーン、ウレタン、ビニルエステルおよびアミド、オレフィンコポリマー材料、ジアルキルフマレート、天然ゴムまたは合成ゴム、ならびにホットメルト接着剤を含む同種のものを含み得る。
【０１００】
他の実施形態において、底層は、それぞれの層の少なくとも一部をヒートシールすることによって、2つの層を超音波溶接することによって、または感圧接着剤の使用によって、検出層に連結され得る。いくつかの実施形態において、検出層を底層に連結するために、当業者に公知の他の適した結合材料または結合方法が使用され得る。いくつかの実施形態において、底層は、それを通じて検出層が曝され得る開口部を画定する。いくつかの実施形態において、開口部は、試験される液体がそれを通じて検出層に吸収され得る、チャネルを与える。いくつかの実施形態において、開口部は、試験される液体がそれを通じて検出層に吸収され得るチャネルを与えるために、底層の端部または境界縁部に、例えば先端部に位置し得る。
【０１０１】
装置が物体の上に配置され得るいくつかの実施形態において、底層は、接着剤を用いて物体に連結され得る。例えば、装置が爪の上に配置される場合、接着剤は、当業者に公知の皮膚接触用FDA認可接着剤を含み得る。
【０１０２】
いくつかの実施形態において、底層は、所望の表面に、例えば、爪の上で使用または適用されたとき、検出層を損傷から保護するのに十分な剛性の構造を備える。いくつかの実施形態において、底層は、装置が使用され得る環境から検出層を保護する絶縁層として機能し得る。例えば、底層は、マニキュア中に存在するものなど、ある種の流体または物質に対して不透過性であり得る。いくつかのそのような実施形態において、底層は、検出層と、外部環境、例えば、使用者の爪に塗布されたマニキュアとの間の望ましくないあらゆる相互作用を排除または最小限にする層を与え得る。
【０１０３】
いくつかの実施形態において、底層はラミネート層を含む。いくつかの実施形態において、底層は薄膜を含む。底層は、異なる材料で構成され得る。いくつかの実施形態において、薄膜は、金属材料、ポリマー材料、セラミック材料、無機材料、および他の適した材料のうちの少なくとも1つを含む。いくつかの実施形態において、底層は、ABS(アクリロニトリルブタジエンスチレン)、ABS+PC(ABS+ポリカーボネートアロイ)、アセタール(POM)(ポリオキシメチレン)、LCP(液晶ポリマー)、ナイロン6-PA(ポリアミド)、ナイロン6/6-PA(ポリアミド)、ナイロン11-PA(ポリアミド)、PBTポリエステル(ポリブチレンテレフタレート)、PC(ポリカーボネート)、PEI(ポリエーテルイミド)、PE(ポリエチレン)、LDPE(低密度ポリエチレン)、HDPE(高密度ポリエチレン)、PETポリエステル(ポリエチレンテレフタレート)、PP(ポリプロピレン)、PPA(ポリフタルアミド)、PPS(ポリフェニレンスルフィド)、PS(ポリスチレン結晶)、HIPS(高衝撃性ポリスチレン)、PSU(ポリスルホン)、PVC(ポリ塩化ビニル)、PVDF(ポリフッ化ビニリデン)、SAN(スチレンアクリロニトリル)、TPE(熱可塑性エラストマー)、TPU(熱可塑性ポリウレタンエラストマー)、それらのコポリマー、金属箔、およびそれらの混合物のうちの1つまたは複数を含み得る。
【０１０４】
いくつかの実施形態において、底層は、様々な表面処理にかけられ得る。例えば、底層は、オゾン処理にかけられ得る。いくつかの実施形態において、底層は、層の親水性を増大し得る、場合によっては、層の濡れ特性を改善し得る1つまたは複数の表面処理にかけられ得る。いくつかの実施形態において、表面処理は、装置が液体に曝されるときの開口部でのエアポケットまたは気泡の形成防止を助け得る。
【０１０５】
いくつかの実施形態において、底層は、約50ミクロンから約1000ミクロンの範囲の厚さを備える。いくつかの実施形態において、底層は、約200ミクロンから約400ミクロンの範囲の厚さを備える。いくつかの実施形態において、底層は、約100ミクロン以下、200ミクロン以下、400ミクロン以下、600ミクロン以下、800ミクロン以下、または1000ミクロン以下の厚さを有し得る。
【０１０６】
本明細書に記載の装置はまた、作動手段を含み得る。いくつかの実施形態において、作動手段は、取り外し可能な層であり得る。取り外し可能な層は、装置の上に外部障壁を提供する層を与え得、次いで、特定の物質または化合物の存在を確認するときに、装置の使用前に除去され得る。
【０１０７】
いくつかの実施形態において、取り外し可能な層は、検出層の上面に連結され得る。いくつかの実施形態において、取り外し可能な層は、検出層の上面に直接的に連結され得る。他の実施形態において、取り外し可能な層は、検出層の上面に間接的に連結され得、例えば、取り外し可能な層と検出層との間に位置し得る上層に連結され得る。いくつかの実施形態において、取り外し可能な層は、液体中の標的化合物の存在を検出する使用のために、検出層の少なくとも一部を曝すために装置から取り外され得る。例えば、いくつかの実施形態において、取り外し可能な層は、装置の残りの部分を曝しながら剥離され得、次いで、液体に挿入され得る。他の実施形態において、取り外し可能な層は、取り外し可能な層をスライドさせることによって取り外されて、装置の残りの部分を曝し得る。他の実施形態において、取り外し可能な層は、スクラッチタイプの作動によって、例えば、削り落として装置の残りの部分を曝すことができるワックス層によって取り外され得る。他の実施形態において、取り外し可能な層は、層を刺激に曝すことによって取り外され得る溶解可能な層であり得る。さらに他の実施形態において、取り外し可能な層は、取り外し可能な層の一部を切り取るか、またはポキッと折る(snapping off)ことによって取り外されて、次いで、装置の残りの部分を曝し得、例えば、マドラーの一部を折り取って、装置の残りの部分を曝して作動させる。
【０１０８】
いくつかの実施形態において、取り外し可能な層は、剥離可能な接着剤を含む。他の実施形態において、取り外し可能な層は、装置から剥離されるように構成されたマニキュア層を含む。いくつかの実施形態において、取り外し可能な層は、接着剤を使用して検出層または上層に連結され得る。いくつかの実施形態において、接着剤は、アクリレートコポリマーマイクロスフェア、アクリル酸およびメタクリル酸エステルホモポリマーまたはコポリマー、ブチルゴムベースの系、シリコーン、ウレタン、ビニルエステルおよびアミド、オレフィンコポリマー材料、ジアルキルフマレート、天然ゴムまたは合成ゴム、ならびにホットメルト接着剤を含む同種のものを含み得る。
【０１０９】
他の実施形態において、取り外し可能な層は、それぞれの層の少なくとも一部をヒートシールすることによって、2つの層を超音波溶接することによって、または感圧接着剤の使用によって、検出層または上層に連結され得る。いくつかの実施形態において、検出層を底層に連結するために、当業者に公知の他の適した結合材料または結合方法が使用され得る。
【０１１０】
いくつかの実施形態において、取り外し可能な層と、例えば上層との間の接着強さは、例えば上層と検出層との間または底層と検出層との間の接着強さより低くなり得る。装置内の取り外し可能な層を連結する、(他の層間の接着強さと比べて)相対的に低い接着強さは、装置の残留する層を分離することなく取り外し可能な層の取り外しを可能にし得る。
【０１１１】
いくつかの実施形態において、取り外し可能な層は、相補的なさねはぎによって上層に連結され得る。いくつかのそのような実施形態において、取り外し可能な層の取り外しおよび検出層の曝露を可能にするために、取り外し可能な層は、取り外し可能な層を特定の方向に、すなわち、溝の平面に沿ってスライドさせることによって取り外され得る。
【０１１２】
いくつかの実施形態において、取り外し可能な層は、例えば、爪の上で使用中でないとき、検出層または他の層を損傷から保護するのに十分な剛性の構造を備える。いくつかの実施形態において、取り外し可能な層は、装置が用いられる前に外部環境から検出層を保護する絶縁層または障壁層として機能し得る。例えば、取り外し可能な層は、マニキュアなどのある種の流体または物質に対して不透過性であり得る。いくつかのそのような実施形態において、取り外し可能な層は、検出層と外部環境との間の望ましくないあらゆる相互作用を排除または最小限にする層を与え得る。いくつかの実施形態において、取り外し可能な層は防水性であり得る。いくつかのそのような実施形態において、取り外し可能な層は、装置を実質的に防水性にし得る。取り外し可能な層を取り外すと、装置が作動して使用可能になり得、例えば、試験される液体に曝され得る。
【０１１３】
いくつかの実施形態において、取り外し可能な層は、その上で装置の外観を変更またはカスタマイズできる表面を与える。例えば、取り外し可能な層は、その上で製造者が、様々な設計、デカール、ロゴ、色、または他の印で外観をカスタマイズできる表面を与え得る。別の例として、取り外し可能な層は、その上に使用者がマニキュアを塗布できる表面を与え得る。
【０１１４】
いくつかの実施形態において、取り外し可能な層は薄膜を含む。取り外し可能な層は、異なる材料で構成され得る。いくつかの実施形態において、薄膜は、金属材料、ポリマー材料、セラミック材料、無機材料、および他の適した材料のうちの少なくとも1つが含まれ得る。いくつかの実施形態において、取り外し可能な層は、ポリエチレン、ポリエチレンテレフタレート、ポリ塩化ビニル、ポリウレタン、ポリプロピレン、それらのコポリマー、金属箔、およびそれらの混合物を含み得る。いくつかの実施形態において、取り外し可能な層は、様々な表面処理にかけられ得る。例えば、取り外し可能な層は、オゾン処理にかけられ得る。いくつかの実施形態において、取り外し可能な層は、層の親水性を改善し得る、場合によっては、層の濡れ特性を改善し得る1つまたは複数の表面処理にかけられ得る。いくつかの実施形態において、表面処理は、装置が液体に曝されるときの開口部でのエアポケットまたは気泡の形成防止を助け得る。
【０１１５】
いくつかの実施形態において、取り外し可能な層は、約50ミクロンから約1000ミクロンの範囲の厚さを備える。いくつかの実施形態において、取り外し可能な層は、約200ミクロンから約400ミクロンの範囲の厚さを備える。いくつかの実施形態において、取り外し可能な層は、約100ミクロン以下、200ミクロン以下、400ミクロン以下、600ミクロン以下、800ミクロン以下、または1000ミクロン以下の厚さを有し得る。
【０１１６】
いくつかの実施形態において、装置はさらに、開口部を含む層を含み得る。層は、試験結果の分析を促進するための特定の開口部を画定し得る。例えば、開口部は、「SAFE」、「OK」、「YES」、もしくは「NO」などの語、チェックマーク、終了線、ロゴ、パターンまたは記号、
2019510208.tif 000006
などのエモーティコンもしくは記号で構成され得る。開口部を含む層の領域にマーカーまたは他のインジケータが移動すると、試験結果の読取りを容易にする開口部を通してインジケータまたは有色色素が使用者の目に見え得る。いくつかの実施形態において、層は、別個の層であり得る。他の実施形態において、層は、他の層内、例えば、上層内で一体化され得る。
【０１１７】
いくつかの実施形態において、装置はさらに、試験結果の分析を促進するある特定の形で位置する試薬の規定のパターンを含む層を含み得る。例えば、試薬のパターンは、「SAFE」、「OK」、「YES」、もしくは「NO」などの語、チェックマーク、終了線、ロゴ、パターンまたは記号、
2019510208.tif 000007
などのエモーティコンもしくは記号で構成され得る。試薬のパターンを含む層の領域にマーカーまたは他のインジケータが移動すると、マーカーまたは他のインジケータが試薬と相互作用して、パターンを表示し得る。パターンが表示されると、使用者はより容易に装置の結果を分析できる。いくつかの実施形態において、層は、別個の層であり得る。他の実施形態において、層は、他の層内、例えば、上層内で一体化され得る。
【０１１８】
いくつかの実施形態において、装置は、物体の表面の上に配置され得る。いくつかの例では、装置は、物体内に配置され得る。他の例において、装置は、物体の表面の下に配置され得る。適した物体は、例えば、爪、人工爪、マニキュア層、ネイルシール、ネイルデカール、シール、デカール、ネイルデカール、メッシュネイルラップ、リング、ブレスレット、ネックレス、チャーム、紐、またはその他の任意の適切な表面を含む。他の適切な表面は、疑わしい液体に容易かつ慎重に接触させて、液体の消費者に対する向上した身の安全性をもたらし得る物を含む。
【０１１９】
装置および多層検出システムの実施形態を図に示した。理解されるように、例証した実施形態は、本発明の特徴および利点を示す方法として提供されており、いずれか特定の例に本発明を限定するものと解釈されるべきではない。さらに、以下の図面の簡単な説明における上部、底部および側部の使用は、理解を助けるためであって、本発明の実施形態を地理的/方向的に制限するものと解釈されるべきではない。
【０１２０】
図面に関して、図1は、取り外し可能な層11、上層12、検出層13、および底層14を含む装置1の分解立体図を示している。図2は、取り外し可能な層11が上層12に連結されていない、部分的に組み立てられた構成の装置1を示している。
【０１２１】
図1では、検出層13は、試験のために装置を液体に曝すと、液体が移動する方向を示している。上層12は、第1の場所に窓16、および第2の場所に開口部17を含む。窓16は、試験完了時に使用者がインジケータ15を目視できるように、検出層13と整列され得る。例えば、装置により液体中のある特定の化合物の存在が検出されなければ、窓16から指示を目視することができる。窓16は、「OK」の文字の形状であるが、他の形状の窓16が上層12に含まれてもよい。上層の開口部17は、液体または他の媒体が試験のためにそこを通って検出層13に移動することができる開口部となり得る。
【０１２２】
図3A〜3Cは、標的物質を検出するための異なる試験の前後の、装置の平面図を示している。図3Aは、試験前の装置を示している。図3Bでは、装置は液体に曝されており、検出層は問題の液体を吸収し、次いでインジケータが検出層の長さを移動して、窓16を通して示される色が生じた試験の結果が表示される。図3Bに示される指示は、標的物質が存在しない試験に対応する。図3Cでは、装置は液体に曝されており、検出層は問題の液体を吸収し、次いでインジケータが検出層の長さを移動しなかった試験の結果が表示される。図3Cに示される指示は、標的物質が液体中に存在する試験に対応する。
【０１２３】
図5に示されるもののような、一部の実施形態では、検出層13は、任意選択のスリット18を画定する物理的な割れ目を含む。スリット18により、例えば、検出層は二等分に分割されて、2種の標的物質を検出するために使用され得る。上層12は、第1の場所に窓26、および第2の場所に窓27を含む。窓26および窓27は、検出層13のインジケータ(図示せず)の位置と整列され得る。例えば、装置により液体中の、ある特定の化合物の存在が検出されないならば、窓26から指示を目視することができる。一部の実施形態では、任意選択の層22が、マニキュア、シール、デカール、または他の材料などの取り外し可能な層11上に適用され得る。図5も、底層14に位置された任意選択の窓23を示している。一部の実施形態では、任意選択の窓23は、検出層13のインジケータ(図示せず)の位置と整列され得る。任意選択の窓23は、底層14の異なる領域、例えば、底層14の反対側の端部に位置し得る。
【０１２４】
図6は、本明細書に記載の一実施形態による検出層200の平面図を示している。検出層200は、吸収パッド260(芯と称することもある)およびテストストリップ280を含む。テストストリップ280は、サンプルパッド-コンジュゲートパッド250およびクロマトグラフィー膜パッド230を含む。サンプルパッド-コンジュゲートパッド250は、クロマトグラフィー膜パッドの近位端232と接触している。サンプルパッド-コンジュゲートパッド250は、吸収パッド260から分離されていてもよい。サンプル-コンジュゲートパッド250に吸収された液体は、クロマトグラフィー膜パッドの遠位端234に流れ、次いで、吸収パッド260を通して外に向かって流れ得る。クロマトグラフィー膜の遠位端234は、u字型の吸収パッド260の一部と重なっている。
【０１２５】
図7は、図6に示される面7-7に沿った、検出層200の横断面図を示している。検出層200は、サンプルパッド-コンジュゲートパッド250、クロマトグラフィー膜パッド230、および吸収パッド260を含む。サンプルパッド-コンジュゲートパッド250は、コンジュゲート領域254で、クロマトグラフィー膜パッドの近位端232と重なっている。サンプル-コンジュゲートパッド250に吸収された液体は、クロマトグラフィー膜パッド230の遠位端234に向かって、クロマトグラフィー膜パッド230の近位端232に流れ得る。クロマトグラフィー膜の遠位端234は、u字型吸収パッド260の一部と重なっている。吸収パッド260は、使用中、クロマトグラフィー膜パッド230から液体を吸収し得る。任意選択で、検出層200は、上層270を有してもよい。一部の実施形態では、上層270は、粘着性であり得る。一部の実施形態では、上層270は、透明であり得る。一部の実施形態では、合わせたサンプルパッド-コンジュゲートパッド250は、重なっていないサンプル領域252およびコンジュゲート領域254を有する。
【０１２６】
一部の実施形態では、検出層は、マトリックスを含む。マトリックスは、マーカーを含み得る。マーカーは、マーカーを含む組成物とマトリックスが接触することによって、マトリックスに含まれ得る。マーカーとは、標的物質の検出を促進し得る、特定の物質に連結された化合物、物質、または抗体を指す。例えば、一部の実施形態では、マーカーは、ラテックスもしくはポリマーマイクロビーズ、または金ナノ粒子に連結された抗体を含み得る。一部の実施形態では、マーカーは、カルボキシフルオレセイン、2,7-ジクロロフルオレセイン、Eosin B、Eosin Y、エリスロシン、フルオレセイン、フルオレセインアミダイト、フルオレセインイソシアネート、メルブロミン、アプタマー、抗体、フロキシンB、Rose Bengal、それらの誘導体および塩、またはそれらの組合せを含む。他の実施形態では、粒子がマーカーとして使用され得る。粒子は、金および/または色素導入ポリマーマイクロビーズなどの任意の有色ナノ粒子であり得る。
【０１２７】
一部の実施形態では、装置は、以下の式を有するマーカーまたはその塩を含む。
【化１】
2019510208.tif 000008
式中、R1、R2、R3、R4、R5、R6、R7、R8、R9、およびR10は、それぞれ独立して、水素、ハロゲン、ヒドロキシル、ニトロ、シアノ、トリフルオロメチル、置換または非置換アミノ、置換または非置換アルキル、置換または非置換アルケニル、置換または非置換アルキニル、置換または非置換ヘテロアルキル、置換または非置換ヘテロアルケニル、置換または非置換ヘテロアルキニル、置換または非置換シクロアルキル、置換または非置換シクロアルケニル、置換または非置換シクロアルキニル、置換または非置換アリール、置換または非置換ヘテロアリール、置換または非置換カルボニル、置換または非置換カルボキシル、置換または非置換チオ、および置換または非置換スルホニルからなる群から選択され;R11は、水素、または置換もしくは非置換アルキルであり;Xは、ヒドロキシル、または置換もしくは非置換アミノであり;Yは、O、またはNR12であり、R12は、水素、または置換もしくは非置換アルキルである。一部のそのような実施形態では、マーカーは、以下の式を有する。
【化２】
2019510208.tif 000009
【０１２８】
他の実施形態では、マーカーは、以下の式を有する。
【化３】
2019510208.tif 000010
式中、M+はカチオンである。一部のそのような実施形態では、M+は、Na+、K+、Li+、Cs+、Rb+、Ag+、Au+、Cu+、Fr+、NH4+、NR4+、およびNR1R2R3+からなる群から選択される。
【０１２９】
他の実施形態では、マーカーは、以下の式またはその塩を有する。
【化４】
2019510208.tif 000011
式中、R1、R2、R3、R4、およびR5は、それぞれ独立して、水素、ハロゲン、ヒドロキシル、ニトロ、シアノ、トリフルオロメチル、置換または非置換アミノ、置換または非置換アルキル、置換または非置換アルケニル、置換または非置換アルキニル、置換または非置換ヘテロアルキル、置換または非置換ヘテロアルケニル、置換または非置換ヘテロアルキニル、置換または非置換シクロアルキル、置換または非置換シクロアルケニル、置換または非置換シクロアルキニル、置換または非置換アリール、置換または非置換ヘテロアリール、置換または非置換カルボニル、置換または非置換カルボキシル、置換または非置換チオ、および置換または非置換スルホニルからなる群から選択され;XおよびYは、それぞれ独立して、ヒドロキシル、または置換もしくは非置換アミノである。
【０１３０】
一部の実施形態では、マーカーは、マーカーを含む組成物とマトリックスが接触することによって、マトリックスに含まれ得る。マーカーは、マトリックス上の少なくとも第1の場所に存在し得る。例えば、マーカー組成物は、図4Aの場所50でマトリックス上に負荷され得る。マトリックス上に負荷され得るマーカー組成物の量は、マトリックスに適用されるマークのサイズによって定量され得る。マーカー組成物の量は、ヒトの眼で視覚化されるのに十分大きい量であり得る。例えば、マーカー組成物は、約10mmまでの範囲(例えば、約1mm〜約10mm、または約1mm〜約5mm)の直径のドットとしてマトリックスに適用され得る。適用された組成物のサイズは、約1mm以下、2mm以下、3mm以下、4mm以下、5mm以下、6mm以下、7mm以下、8mm以下、9mm以下、または10mm以下の直径を有し得る。一部の実施形態では、マーカー組成物は、約10mmまでの範囲(例えば、約1mm〜約10mm、または約1mm〜約5mm)のラインとして適用され得る。適用された組成物のサイズは、約1mm以下、2mm以下、3mm以下、4mm以下、5mm以下、6mm以下、7mm以下、8mm以下、9mm以下、または10mm以下の高さを有し得る。
【０１３１】
一部の実施形態では、標的物質の存在を検出するための装置は、約25ミリメートル未満の長さ、約15ミリメートルの幅、および約5ミリメートルの厚さを備える。一部の実施形態では、装置は、標的物質が1ミリリットル当たり約5ミリグラム未満の濃度で存在し得る場合に、液体中に存在する標的物質を検出するように構成され得る。一部の実施形態では、装置は、標的物質に10秒未満曝されると、標的物質の存在を検出することができる。一部の実施形態では、装置は、液体に曝された後5分未満で、標的物質の存在の指示を提供し得る。
【０１３２】
一部の実施形態では、本明細書の記載による装置の検出層は、マトリックスを含む。マトリックスは、1種または複数のポリマーを含み得る。ある特定の実施形態では、1種または複数のポリマーは、多糖類を含む。マトリックスにおける使用に好適な多糖類には、寒天、アガロース、アルギネート、カラゲナン、セルロース、キトサン、デキストラン、コンニャク、およびそれらの混合物が含まれる。一部の実施形態では、マトリックスは、表面機能化セルロースを含むセルロースまたはセルロース誘導体を含む。代表的なアガロースポリマーには、例えば、カルボキシメチルアガロース、ジエチルアミノエチルアガロース、および類似の誘導体が含まれる。任意選択で、マトリックスにおける使用のためのアガロースポリマーは、Pharmacia Fine Chemicals, Inc.(Piscataway、N.J.)から市販されている。代表的なセルロースポリマーには、例えば、セルロースエステル(例えば、酢酸セルロース、酢酸酪酸セルロース、酢酸プロピオン酸セルロース)、カルボキシメチルセルロース、ジエチルアミノエチル(DEAE)セルロース、ニトロセルロース、ホスホセルロース、四級アンモニウム置換セルロース、およびスルホキシエチルセルロースが含まれる。任意選択で、マトリックスにおける使用のためのセルロースポリマーは、Whatman Co.(Whatman Paper Co., Ltd.、Maidstone、England)またはBioRad Corp.(Richmond、California)から市販されている。
【０１３３】
マトリックスは、吸収剤をさらに含み得る。一部の実施形態では、マトリックスは、複数の吸収剤を含み得る。例えば、吸収剤には、クロマトグラフィー紙、濾紙、およびペーパークロマトグラフィーまたは薄層クロマトグラフィー(TLC)などのクロマトグラフィーに典型的に使用される他の材料が含まれ得る。クロマトグラフィー紙および濾紙は、Whatman Co.(Whatman Paper Co., Ltd.、Maidstone、England)から市販されているクロマトグラフィー紙および濾紙などの定性的または定量的濾紙であってもよい。
【０１３４】
任意選択で、吸収剤は、シリカゲル、アルミナ、高性能薄層クロマトグラフィー(HPTLC)シリカゲル、ポリケイ酸、酸化アルミニウム、セルロース、ポリアミド、逆相シリカゲルC2(ジメチル結合)、逆相シリカゲルC2(エチル結合)、逆相シリカゲルC8(オクチル結合)、逆相シリカゲルC18(オクタデシル結合)、アセチル化セルロース、アミノ基で修飾されたシリカゲル、シアノ基で修飾されたシリカゲル、炭化水素で含浸された珪藻土、アニオン性およびカチオン性アニオン交換樹脂、ジエチルアミノエチルセルロース、ならびに列挙した吸着剤の混合物を含む。吸収剤は、不活性表面上に固定化され得る。
【０１３５】
任意選択で、マトリックスは、乾燥剤をマトリックスに組み込むために、乾燥剤で前処理され得る。乾燥剤は、これらに限定されないが、モレキュラーシーブ、シリカゲル、粘土、合成ポリマー、およびデンプンを含む、当業者に公知の任意の乾燥剤であり得る。例えば、好適な乾燥剤には、アルミナ、ボーキサイト、無水硫酸カルシウム、吸水性粘土、シリカゲル、ゼオライト、およびそれらの混合物が含まれる。
【０１３６】
任意選択で、マトリックスは、緩衝剤で前処理され得る。緩衝剤は、例えば、酢酸およびその共役塩基、クエン酸およびその共役塩基、二塩基性リン酸ナトリウム、高分子電解質ポリマー、フタル酸水素カリウム、水酸化ナトリウム、リン酸ナトリウム、およびそれらの組合せであり得る。マトリックスは、マトリックスが約3〜約8の範囲(例えば、約4〜約6、または約4.5〜約5.5)のpHで緩衝され得るように、緩衝剤で前処理され得る。例えば、緩衝剤は、約3、約3.5、約4、約4.5、約5、約5.5、約6、約6.5、約7、約7.5、約8、約8.5、または約9のpHをもたらすために、組成物に添加され得る。記載される装置において使用され得る緩衝液には、例えば、その全体が参照により組み込まれる、Undercover Colors, Inc.によって出願され、本出願と同日に提出された、「Methods and Apparatus for Detecting Compounds in Liquids」と題するPCT特許出願において記載され、示されているものが含まれ得る。
【０１３７】
例えば、試験結果に支障をきたし得る飲料成分を中和または抑制するために選択された緩衝化合物および緩衝液添加剤を付着させるために、第1の緩衝溶液がサンプル領域に付与され得る。例えば、クロマトグラフィー膜を通るその移動を遅らせる目的で飲料または液体の粘度を増加させるために、別の緩衝溶液がクロマトグラフィー膜に付与され得る。いくつかの実施形態では、装置内で緩衝溶液の特定の組合せが使用され得、そこでは第1の緩衝溶液がサンプル領域に付与され、第2の緩衝溶液がクロマトグラフィー膜に付与され、かつ第1および第2の緩衝溶液が異なる。広範囲の試験液体にわたって装置および方法の性能を改善させるために、緩衝溶液のそのような組合せが相乗的に使用され得る。
【０１３８】
いくつかの実施形態において、広範囲のサンプルマトリックスにわたってアッセイの性能を改善させるために、中和剤、緩衝剤、および界面活性剤の特定の組合せが相乗的に使用される。多様な組の試験液体にわたってアッセイ性能を改善させるために、中和剤は、単独で、または緩衝剤と組み合わせて使用され得る。中和試薬は、Goodの緩衝塩などの従来の緩衝剤、およびサンプルが検出手段と出会う前にサンプルを処理する他の酸性または塩基性の成分を含み得る。中和試薬は、クエン酸ナトリウムなどのカルボン酸塩または炭酸カリウムからなり得る。緩衝試薬は、内部で機能するための検出手段にとって安定で一貫した環境を作り出し、イオン性または両性イオン性の緩衝塩からなり得る。単独の緩衝剤は、すべてのサンプルタイプの十分な中和をもたらさないかもしれない。中和剤のみでは酸性または塩基性になりすぎて検出手段と適合しない可能性がある。例えば、中和剤と緩衝剤の可能性のある1つの組合せは、それぞれ、指定範囲内の任意の中和剤と緩衝剤の濃度の組合せの炭酸カリウム(0.1から3M)とtris(0.1Mから3M)である。いくつかの実施形態において、中和剤の緩衝剤に対する比は2:1である。
【０１３９】
中和剤は、コンジュゲートパッドもしくは領域に位置する緩衝剤から分離した、サンプルパッドまたは領域などのアッセイ部品内に位置し得る。場合によっては、中和剤は、K2CO3(0.1から3M)または他のカルボン酸塩である。場合によっては、緩衝剤は、Tris(0.1Mから3M)または他のGoodの緩衝剤である。K2CO3および抗体-金ナノ粒子コンジュゲートの場合と同様に、中和剤が抗体-粒子コンジュゲートと適合しないとき、コンジュゲートパッドからの中和剤の分離が特に重要である。中和剤は、同じアッセイ部品上だが検出手段とは別の領域内に付着し得る。場合によっては、中和剤は、K2CO3(0.1から3M)または他のカルボン酸塩である。場合によっては、緩衝剤は、Tris(0.1Mから3M)または他のGoodの緩衝剤である。
【０１４０】
いくつかの実施形態において、本明細書に記載の装置が広範囲の試験液体と適合することを確実にするために、非イオン性界面活性剤のある特定の組合せが特に有用である。これらの非イオン性界面活性剤は、単独で、または中和剤および緩衝剤と併せて使用され得る。いくつかの例では、各化合物について記載した範囲内の濃度の任意の組合せで、第1の非イオン性界面活性剤は、Pluronic F68(0.1%から2%)または他のポロキサマーであり、第2の非イオン性界面活性剤は、Triton X-100(0.1%から2%)または他のポリエチレンオキシドフェニルエーテルである。緩衝液配合物および残留緩衝液配合物は、各界面活性剤について記載した範囲内の濃度の任意の組合せの第1および第2の非イオン性界面活性剤を含み得る。非イオン性界面活性剤は、コンジュゲートパッド内に位置し得る。非イオン性界面活性剤は、サンプルパッド内に位置し得る。1つの非イオン性界面活性剤は、サンプルパッド内に位置し得、1つの非イオン性界面活性剤は、コンジュゲートパッド内に位置し得る。
【０１４１】
いくつかの実施形態において、中和剤、緩衝剤、および非イオン性界面活性剤の組合せはアッセイ性能を改善することが明らかになった。例えば、有用な組合せは、中和剤K2CO3（0.1から3M）緩衝剤Tris(0.1Mから3M)、非イオン性界面活性剤Triton X-100(0.1から2%)、および第2の非イオン性界面活性剤Pluronic F68を含む。いくつかの例では、本明細書に記載の装置は、広範囲の試験流体に装置を適合させ得る残留緩衝液配合物の特定の組合せを含む。例えば、第1の残留緩衝液配合物は、酸、アルコール、および/または着色剤など、試験結果に悪影響を及ぼし得る試験流体中の成分と相互作用するために、液体流路の先頭に近い場所、例えばサンプル領域で使用され得、第2の残留緩衝液配合物は、アッセイに関与するタンパク質を変性させないようにある一定のpH付近に試験液体を緩衝するため、液体流路のさらに下流の別の場所で使用され得る。
【０１４２】
加えて、緩衝液配合物の特定の組合せは、複数の分析物を検出するために(2つ以上のマーカー-テストラインの組合せを使用するなど)複数の検出手段の組合せを可能にし得る一方、残留緩衝液配合物の特定の組合せがない状態では、異なる検出手段は、同じ範囲の試験流体と適合しないであろう。一例において、特定の残留緩衝液配合物がない状態で、第1の分析物を検出するための第1の検出手段は、試験流体AおよびBと適合するのみであり、第2の分析物を検出するための第2の検出手段は、試験流体BおよびCと適合するのみである。その場合には、流体AおよびC中の第1および第2の分析物を同時に検出するために、第1および第2の手段を組み合わせて使用することができない。しかし、残留緩衝液配合物の適切な組合せを含む単一の装置は、流体A、B、およびCと適合し、3つすべての流体中の第1および第2の分析物を検出し得る。この「マルチプレックス化」は、異なる検出手段(異なる抗体、アプタマー、またはマーカーなど)を単一の装置で必要とし得る複数の分析物の検出に有用である。いくつかの例では、本明細書に記載の装置は、ベンゾジアゼピンおよびケタミンの両方の存在を検出し得る。
【０１４３】
一部の実施形態では、本明細書に記載の方法および装置は、液体中のアミン含有化合物の存在を検出するために、マーカーの色変化の観察または測定に依拠しない。一部の実施形態では、本明細書に記載の方法および装置は、電気泳動などの他の技術に依拠しない。代わりに、一部の実施形態では、標的物質の存在は、マトリックスを通した、有色材料またはコンジュゲートの動きの変化によって示され得る。マーカーを含有するマトリックスが液体に曝される場合、液体中に標的物質が存在しないならば、マーカーの色は、溶媒前端40がマトリックスを通して前進するのにつれて、これとともに自由に動く。しかし、液体中に標的物質のうちの1種または複数が存在する場合、色は、溶媒前端40とともに前進しないか、またはブランクコントロールサンプルにおける前進の速度に対してゆっくりとのみ前進する。
【０１４４】
検出しようとする標的物質が存在するならば、マーカーの小さなドットまたはライン44は、実質的に動かない(例えば、図4Aを参照されたい)。本明細書で定義する場合、「実質的に動かない」とは、場所50のマーカーの小さなドットまたはラインが場所50にそのまま残るか、または場所50に対する溶媒前端40の距離の約25%未満動くことを意味する。例えば、マーカーのドットまたはライン44は、約15%未満、約10%未満、約5%未満、約4%未満、約3%未満、約2%未満、約1%未満、または約0.5%未満動く。一部の例では、検出しようとする標的物質が存在し、マーカーが実質的に動かないならば、マーカーは、溶媒前端40がマトリックスの長さに沿って動くにつれて「尾部ができる（tail）」42場合がある(例えば、図4Aを参照されたい)。液体中に標的物質が検出可能な量で存在しない場合、マーカードットまたはラインは、動いているマーカードットまたはラインの後ろにいくらかの尾部46をおそらく伴って、前端40に沿って液体とともに実質的に動く(例えば、図4Bを参照されたい)。図4Aおよび4Bは、当業者に理解されるように、本明細書に記載の標的物質を検出する方法の一般化された図であることが意図されていることが認識されるべきである。
【０１４５】
一部の実施形態では、検出層は、ラテラルフローアッセイを含む。一部の実施形態では、ラテラルフローアッセイは、アルコールまたは非アルコール飲料中の薬物の存在を判断するために抗体-分析物相互作用に依拠し得る。一部の実施形態では、ラテラルフローアッセイは、液体中の分析物の存在を判断するためにアプタマー-分析物相互作用に依拠し得る。一部の実施形態では、ラテラルフローアッセイは、薬物コンジュゲートタンパク質(テストライン)および抗種抗体(コントロールライン)が固定化されたクロマトグラフィー膜を通して運ばれ得る有色粒子にコンジュゲートされた抗薬物抗体を含み得る。一部の実施形態では、有色粒子は、金ナノ粒子を含み得る。一部の実施形態では、有色粒子は、色素導入ラテックスマイクロビーズを含み得る。一部の実施形態では、クロマトグラフィー膜は、セルロース、ニトロセルロース、ガラスファイバー、類似の材料、またはそれらの材料の組合せを含み得る。記載される装置において使用され得るラテラルフローアッセイには、例えば、その全体が参照により組み込まれる、Undercover Colors, Inc.によって出願され、本出願と同日に提出された、「Methods and Apparatus for Detecting Compounds in Liquids」と題するPCT特許出願において記載され、示されているものがさらに含まれ得る。
【０１４６】
一部の実施形態では、ラテラルフローアッセイを含む検出層を飲料に曝すと、検出層によって吸収された液体は、抗薬物抗体-粒子コンジュゲートをそれとともに運んで、検出層を通して動くことができ、固定化された薬物-タンパク質コンジュゲートおよび抗種抗体を通り越す。薬物が存在しないならば、抗薬物抗体-粒子コンジュゲートは、薬物-タンパク質コンジュゲートと相互作用し、これに結合し、同様に抗種抗体とも相互作用し結合し、これが抗薬物抗体-粒子コンジュゲートを固定化させる。抗薬物抗体-粒子コンジュゲートの固定化により、薬物-タンパク質コンジュゲート(テストライン)および抗種抗体(コントロールライン)が配置された領域に色を付着させることができる。薬物が、飲料中に存在する場合、薬物は、抗薬物抗体-粒子コンジュゲートと結合し、したがって、次に抗薬物抗体-粒子コンジュゲートが薬物-タンパク質コンジュゲート(テストライン)と相互作用し結合することが妨げられる。薬物が、抗薬物抗体-粒子コンジュゲートとテストラインとの間の相互作用および結合を阻害するため、この領域には色が付着しない。抗薬物抗体-粒子コンジュゲートの抗種抗体(コントロールライン)との相互作用および結合は、薬物の存在によって影響を受けないため、コントロールライン上にはやはり色の付着が起こる。一部の実施形態では、薬物が存在しないことを示す結果は、2本のライン(テストおよびコントロールラインが着色される)からなる一方、薬物が存在することを示す結果は、1本のライン(コントロールラインが着色される)からなる。他の実施形態では、標的分析物が存在することを示す結果は、1本のライン(コントロールラインが着色される)からなる一方、分析物が存在しないことを示す結果は、2本のライン(テストおよびコントロールラインが着色される)からなる。
【０１４７】
一部の実施形態では、ラテラルフローアッセイを含む検出層は、緩衝剤を含む。緩衝剤は、吸収されるサンプルの特性を改変して、溶液を、抗体-粒子コンジュゲートと適合性にし得る。緩衝剤には、有機および無機酸、塩、イオン性および非イオン性洗浄剤、糖、ならびにタンパク質などの添加剤が含まれ得る。記載される装置において使用され得る緩衝液には、例えば、その全体が参照により組み込まれる、Undercover Colors, Inc.によって出願され、本出願と同日に提出された、「Methods and Apparatus for Detecting Compounds in Liquids」と題するPCT特許出願において記載され、示されているものが含まれ得る。一部の実施形態では、添加剤は、マトリックスを通した液体サンプルの流れのための膜を調製する機能も果たし得る。これらの添加剤は、膜を通したサンプルの流れを促進する一方、同時に、膜と抗薬物抗体-粒子コンジュゲート、薬物-タンパク質コンジュゲート、および抗種抗体との間の望ましくない相互作用を防ぎ得る。試薬の濃度および組合せは、試験されているサンプルマトリックスによって決まる傾向がある。
【０１４８】
一部の実施形態では、検出層はラテラルフローアッセイを含み、ラテラルフローアッセイは、約12mm未満の長さ、約6mm未満の幅、および約1.5mm未満の厚さを有し得る。一部の実施形態では、ラテラルフローアッセイは、約10mmの長さ、約4mm以下の幅、および約1mm以下の厚さを有し得る。一部の実施形態では、ラテラルフローアッセイは、約10mmの長さ、約3mm以下の幅、および約1mm以下の厚さを有し得る。例えば、ラテラルフローアッセイの長さは、約24mm、23mm、22mm、21mm、20mm、19mm、18mm、17mm、16mm、15mm、14mm、13mm、12mm、11mm、10mm、9mm、8mm、7mm、6mm、または5mmであり得る。他の例では、ラテラルフローアッセイの幅は、約6mm、5mm、4mm、3mm、2mm、または1mmであり得る。
【０１４９】
一部の実施形態では、ラテラルフローアッセイを含む検出層は、直線状流れチャネルを含み得る。他の実施形態では、検出層は、非直線状の形状、例えば、カーブした形状、らせん形の形状、角のある形状、またはU字型を有するチャネルを含む。他の実施形態では、流れチャネルは、複数の経路に分割され得る。これらの実施形態の一部では、複数の経路は、カーブしている場合があり、非分割流路と実質的に平行であり得る。一部の実施形態では、複数の経路は、非分割流路に対して向流に流れ得る。
【０１５０】
一部の実施形態では、ラテラルフローアッセイは、単一アッセイ上に複数の薬物検出構成を含み得る。
【０１５１】
一部の実施形態では、ラテラルフローアッセイは、延長された貯蔵寿命を有し得る。一部の実施形態では、ラテラルフローアッセイを含む検出層(および装置)は、使用中の通気性をもたせることによって試験の完全性を損なうことなく、外部環境からの保護をもたらすために積層され得る。
【０１５２】
一部の実施形態では、ラテラルフローアッセイを含む装置は、試験の結果の読取り性を促進するための、上記の通りのステンシル層を含み得る。
【０１５３】
上記のように、装置は、物体の面の上、中、および/または下に配置され得る。一部の例では、装置は、爪または人工爪に組み込まれ得る。図8〜25は、爪として組み込まれた装置の例を示している。
【０１５４】
図8は、第1のカセット構造506のキャビティ514内にサンプルパッド-コンジュゲートパッド522およびクロマトグラフィー膜パッド524を含むテストストリップ510を含む装置500の上面透視図を示している。一部の実施形態では、第1のカセット構造506は、アーチ形の形状を有し得る。
【０１５５】
図9は、第1のカセット構造506のキャビティ514内にサンプルパッド-コンジュゲートパッド522およびクロマトグラフィー膜パッド524を含むテストストリップ510を含む装置500の平面図を示している。一部の実施形態では、第1のカセット構造506は、アーチ形の形状を有し得る。
【０１５６】
図10は、装置500の下面透視図を示している。一部の実施形態では、接着ストリップ516が第2のカセット構造508の背面側の中央領域520に付加されて、組み立てられた装置500を所望の使用場所に接着させ得る。一部の実施形態では、第1のカセット構造506は、アーチ形の形状を有し得る。
【０１５７】
図11Aおよび11Bは、本明細書に記載の一実施形態による装置500の分解立体図を示している。図11Aは、上側からの分解立体図を示しており、図11Bは下側からの分解立体図を示している。吸収パッド/芯504は切断され、形成され、検出層502の第1のカセット構造506のせり上げ部518を部分的に囲む第1のカセット構造506の下側に置かれる。一部の実施形態では、第1のカセット構造506は、アーチ形の形状である。検出層502は、第2のカセット508の一部の実施形態では、底層でカバーされる。紫外線照射硬化性接着剤が、吸収パッド504を取り囲む第1のカセット506の表面で使用されて、UV照射により第2のカセット508が第1のカセット構造506に連結される。硬化すると、吸収パッド504は、第1のカセット構造506および第2のカセット構造508に連結される。
【０１５８】
上層512は、接着性裏材を有し得る。一部の実施形態では、上層512は、開口部526および窓528を含む。上層の開口部526は、液体または他の媒体が試験のためにそれを通して検出層または検出サブアセンブリに移動することができる開口部となり得る。開口部526は、一般に、テストストリップ510のサンプルパッド-コンジュゲートパッド522と重なっている。開口部526は、一般に円形であるが、他の形状の開口部526が含まれてもよく、例えば、楕円、長方形、文字、記号、および顔文字が使用され得る。窓528は、長方形の形状であるが、他の形状の窓528が上層512に含まれてもよい。窓528は、試験完了時に使用者が窓528を通してインジケータ(図示せず)を目視できるように、検出層502または検出サブアセンブリのクロマトグラフィー膜パッド524と整列され得る。図11Aおよび11Bでは、1つの開口部526が示されており、他の実施形態では、1つよりも多い開口部、例えば、2つ、3つ、4つ、5つ、6つ、またはそれよりも多い開口部が含まれ得る。一部のそのような実施形態では、複数の開口部のサイズは、液体または他の媒体が試験のために検出層または検出サブアセンブリに移動するのを可能にするのに十分なサイズ、かつ開口部の美観への影響を最小にするサイズに調節され得る。
【０１５９】
サンプルパッド-コンジュゲートパッド522およびクロマトグラフィー膜パッド524を含むテストストリップ510は、上層512の下側に接着される。上層512は接続されたテストストリップ510とともに、第1のカセット構造506のキャビティ514内に置かれる。キャビティ514およびせり上げ部518は、第1のカセット構造506において補足し合う特徴である。接着ストリップ516は第2のカセット構造508の背面側の中央領域520に付加されて、組み立てられた装置500を所望の使用場所に接着させ得る。
【０１６０】
図12Aおよび12Bは、分解立体関係における本発明の、ある実施形態における装置の上層構成成分322および底層構成成分342を示している。検出層(図示せず)は、底層342の上面に位置し得る。底層342は、検出層を収容するチャネル414を含む。一部の実施形態では、チャネル414は、T字型であり、底層342の中心に置かれる。上層322の開口部316は、液体または他の媒体が試験のためにそれを通して検出層(図示せず)または検出サブアセンブリに移動することができる開口部となり得る。開口部316は、一般に検出層に重なっている。開口部316は、一般に長方形であるが、他の形状の開口部316が含まれてもよく、例えば、楕円、円、文字、記号、および顔文字が使用され得る。装置312の上層322は、上面の下側の領域を見ることを可能にする窓318も含み得る。窓318は、ボイド/開口部、アパーチャ、半透明固体であってもよく、光学特性、例えばレンズを備えていてもよい。図12Aでは、窓318が示されており、他の実施形態では、2つよりも多い開口部、例えば、3つ、4つ、5つ、6つ、またはそれよりも多い開口部が含まれ得る。窓318は、試験完了時に使用者が窓318を通してインジケータ(図示せず)を目視できるように、検出層または検出サブアセンブリと整列され得る。一部の実施形態では、装置312は、アーチ形の形状を有し得る。
【０１６１】
図13Aは、本発明の、ある実施形態における装置312の上層構成成分322を示している。上層構成成分322は、開口部316を含む。図13B、13C、および13Dは、上層構成成分322の異なる見方を示しており、図13Cは平面図である。開口部316は、液体または他の媒体が試験のためにそれを通して検出層(図示せず)に移動することができる開口部となり得る。開口部316は、一般に検出層に重なっている。図13では、開口部316は、長方形の形状であるが、他の形状の開口部316が上層61に含まれてもよい。一部の実施形態では、装置は、アーチ形の形状を有し得、装置312の中央におけるよりも、装置の端部でより薄くなり得る。
【０１６２】
図14Aおよび14Bは、本発明の、ある実施形態における装置312の上層構成成分322の下側を示している。図14Aは透視図であり、図14Bは下側からの平面図を示している。上層322の下側は、装置312の他の層との相互接続を促進するように、くぼんだ領域を有して構成され得る。検出層(図示せず)が、上層322内に少なくとも部分的に入り込むことが可能になるように、チャネル/一連の溝414が設けられている。成型されたチャネル414は、検出層の形状と一致し、この実施形態では、チャネル414はT字型である。装置312の他の層からのスタッドと嵌合するように、アンチスタッド418が設けられている。この実施形態では、アンチスタッド418は、検出層についてチャネル414のいずれかの側に置かれる。アンチスタッド418の形状は、装置312の他の層のスタッドの形状に対応する。開口部316は、チャネル414の最も幅の広い部分の反対側の、上層の端部に示されている。
【０１６３】
図15A、15B、15C、および15Dは、本発明の、ある実施形態における装置の底層構成成分342を示している。それぞれ、図15Bは側面図を示しており、図15Cは平面図を示しており、図15Dは、底層構成成分342の別の側面図を示している。図に示されるように、底層構成成分342は、装置の他の層との相互接続を促進するための、溝、スロット、切り欠き領域、およびチャネル415、ならびにスタッド416を含み得る。ある実施形態では、底層構成成分342の上面側の溝、スロット、切り欠き領域、およびチャネル415の部分は、上層構成成分322の下面側の溝、スロット、切り欠き領域、およびチャネル414の部分に対応する。同様に、底層構成成分342の上面側のアンチスタッド418の部分は、上層構成成分322の下面側のスタッド416の部分に対応する。一部の実施形態では、チャネル415は、装置312内で検出層の整列を促進し得る、せり上げ端部を有し得る。底層構成成分342の下面部分は、使用のための設置を促進するための接着剤と連結され得る。
【０１６４】
図16は、本明細書に記載の装置の実施形態において使用され得る検出層を示している。図16Aは、検出層362を、液体を受けるのを促進するための吸収パッド364とともに示している。検出層362は、液体の移入を可能にするクロマトグラフィー膜366、およびサンプルパッド368も含む。サンプルパッド368の一部は、クロマトグラフィー膜366と重なっている。同様に、吸収パッド364の一部は、クロマトグラフィー膜366と重なっている。一部の実施形態では、吸収パッド364は、検出層にT字型の外観を付与するために、クロマトグラフィー膜366およびサンプルパッド368よりも幅が広い場合がある。図16Cに示されるように、検出層362は、裏材369を含み得る。図16Bは検出層362の平面図を示しており、図16Cは、図16Bの線B-Bに沿った、検出層362の横断面図を示している。
【０１６５】
図17は、分解立体図での、底層構成成分342、検出層362、および上層構成成分322の下面の下面図を示している。一部の例では、検出層は、アッセイシステムであり得る。上層におけるチャネル414により、検出層362の整列および連結が可能になる。開口部316は、液体または他の媒体が試験のためにそれを通して検出層362に移動することができる開口部となり得る。
【０１６６】
図18は、上層構成成分322、検出層362、底層構成成分342を含み、接着層382をさらに含む複数の層を含む装置312を示している。図18Aは、装置312の側面図を示している。図18Bは、層間の関係を示す、図18Aの線A-Aに沿った横断面図を示している。図18Cは、装置312の正面図を示している。外殻上部402、外殻底部406、およびテストストリップアセンブリ404が、図18Bに示されている。スタッド416およびアンチスタッド418の関係が、接続/嵌合された上層322および底層342に示されている。一部の実施形態では、装置312は、層が減少するにつれて、装置312の端部でより薄くなり得る。
【０１６７】
図19は、分解立体関係における本発明の、ある実施形態における装置の上層構成成分322、検出層362、および底層構成成分342を示している。開口部316は、液体または他の媒体が試験のためにそれを通して検出層362に移動することができる開口部となり得る。開口部316は、一般に検出層362に重なっている。一部の実施形態では、装置は、アーチ形の形状を有し得る。
【０１６８】
図20は、分解立体関係における本発明の、ある実施形態における装置の上層構成成分322、検出層362、および底層構成成分342を示している。一部の実施形態では、検出層362は、長方形の形状である。図に示されるように、底層構成成分342は、装置の他の層との相互接続およびアッセイの使用を促進するための、溝、スロット、切り欠き領域、およびチャネル415、ならびにスタッド416を含み得る。ある実施形態では、底層構成成分342の上面側の溝、スロット、切り欠き領域、およびチャネル415の部分は、上層構成成分322の下面側の溝、スロット、切り欠き領域、およびチャネル414の部分に対応する。底層構成成分342の下面部分は、使用のための設置を促進するための接着剤と通じ得る。
【０１６９】
図21は、保護層412でカバーされた上層構成成分322を示している。保護層412は、透明であっても、不透明であってもよく、一部の場合には、上層構成成分322の色と一致し得る。この保護層は、装飾模様、記号、ロゴ、または他の図案を有してもよい。保護層412の形状は、上層322と実質的に同様であり、この実施形態におけるように、アーチ形であり得る。
【０１７０】
図22は、カートリッジ422を受けるためのチャネル414を含有し得る、上層構成成分322を示している。一部の実施形態では、検出層362は、カートリッジ形態であり得る。ある実施形態では、上層構成成分322は再利用できるが、カートリッジ422は使い捨てである。テストカートリッジ422は、本明細書に記載の通りのテストストリップ404を含有し得る。
【０１７１】
図23Aおよび23Bは、本明細書に記載の実施形態に従って使用され得る、別の装置を示している。図23Aは、上面透視図からの、上層61を有する装置60を示している。上層61は、本明細書に記載の上層の特徴を備え得る。一部の実施形態では、上層61は、装飾的な層であり得る。一部の実施形態では、任意選択の剥離可能層(図示せず)が、上層61の上側に接着されている場合がある。上層61は、窓62および2つの開口部63を含む。窓62は、長方形の形状であるが、他の形状の窓62が上層61に含まれてもよい。窓62は、試験完了時に使用者が窓62を通してインジケータ(図示せず)を目視できるように、検出層または検出サブアセンブリと整列され得る。上層の開口部63は、液体または他の媒体が試験のためにそれを通して検出層13または検出サブアセンブリに移動することができる開口部となり得る。開口部63は、一般に円形であるが、他の形状の開口部63が含まれてもよく、例えば、楕円、長方形、文字、記号、および顔文字が使用され得る。
【０１７２】
図23Aでは、2つの開口部63が示されており、他の実施形態では、2つよりも多い開口部、例えば、3つ、4つ、5つ、6つ、またはそれよりも多い開口部が含まれ得る。一部のそのような実施形態では、複数の開口部のサイズは、液体または他の媒体が試験のために検出層または検出サブアセンブリに移動するのを可能にするのに十分なサイズ、かつ開口部の美観への影響を最小にするサイズに調節され得る。図23Aおよび図23Bに示される実施形態では、検出サブアセンブリは示されていない。
【０１７３】
図23Bは、使用者に近接する位置である装置の側である、底面透視図からの装置60を示している。装置60は、検出サブアセンブリ(図示せず)が、例えばチャネル64中に位置され得る、基板65を含む。基板65およびチャネル64の他の構成が、利用され得る。示されていないが、底層またはフィルムが、使用者に、例えば、使用者の爪上に位置され得る装置60に配置されてもよい。開口部63により、それを通して液体または他の媒体が、上層(すなわち、環境に曝される層)から検出層または検出サブアセンブリ、例えば、検出アセンブリのサンプルパッドに移動することができるチャネルが提供される。
【０１７４】
図24Aおよび24Bは、本明細書に記載の実施形態に従って使用され得る、別の装置を示している。図24Aは、上面透視図からの、上層71を有する装置70を示している。装置は、第1の端部76および第2の端部77を有する。一部の実施形態では、使用者上に配置される場合、第1の端部76は、使用者の表皮に近接して位置され、第2の端部77は、使用者の表皮の遠位に位置される。上層71は、本明細書に記載の上層の特徴を含み得る。一部の実施形態では、上層71は、装飾的な層であり得る。一部の実施形態では、任意選択の剥離可能層(図示せず)が、上層71の上側に接着され得る。上層71は、窓72および開口部73を含む。図24Aおよび24Bに示される実施形態では、使用者の爪上に配置される場合、開口部73は、使用者の表皮に近接して第1の端部76に位置される。一部のそのような実施形態では、表皮の近くに位置されている開口部73により、試験するために装置への液体の流れが促進され得る。例えば、使用者が、その指を飲料中に置いた場合、装置70の第2の端部77は、第1の端部76の下に位置される。装置60が適用されている爪が飲料中に沈められると、液体が開口部73に進入し得る一方、検出サブアセンブリ内、例えばキャビティまたはチャネル中の気体が外に出ることも可能であり、検出サブアセンブリ中に閉じ込められない。
【０１７５】
窓72は、長方形の形状であるが、他の形状の窓72が上層71に含まれてもよい。窓72は、試験完了時に使用者が窓72を通してインジケータ(図示せず)を目視できるように、検出層または検出サブアセンブリと整列され得る。上層の開口部73は、液体または他の媒体が試験のためにそれを通して検出層または検出サブアセンブリに移動することができる開口部となり得る。開口部73は、一般に円形であるが、他の形状の開口部73が含まれてもよく、例えば、楕円、長方形、文字、記号、および顔文字が使用され得る。
【０１７６】
図24Aでは、単一の開口部73が示されており、他の実施形態では、1つよりも多い開口部、例えば、2つ、3つ、4つ、5つ、6つ、またはそれよりも多い開口部が含まれ得る。一部のそのような実施形態では、開口部のサイズは、液体または他の媒体が試験のために検出層または検出サブアセンブリに移動するのを可能にするのに十分なサイズ、かつ開口部の美観への影響を最小にするサイズに調節され得る。図24Aおよび図24Bに示される実施形態では、検出サブアセンブリは示されていない。
【０１７７】
図24Bは、使用者に近接する位置である装置の側である、底面透視図からの装置70を示している。装置70は、検出サブアセンブリ(図示せず)が、例えばチャネル74中に位置され得る、基板75を含む。基板75およびチャネル74の他の構成が、利用され得る。示されていないが、底層またはフィルムが、使用者に、例えば、使用者の爪上に位置され得る装置70に配置されてもよい。開口部73により、それを通して液体または他の媒体が、上層(すなわち、環境に曝される層)から検出層または検出サブアセンブリ、例えば、検出アセンブリのサンプルパッドに移動することができるチャネルが提供される。
【０１７８】
図25は、検出層の横断面図および検出層600を通る液体媒体の流れの全体的な方向を示している。液体は、開口部/サンプルポート602を通して検出層に進入する。液体は、開口部からサンプルパッド604へ、サンプルパッド604を通ってコンジュゲートパッド606へ、コンジュゲートパッド606を通ってクロマトグラフィー膜パッド608へ、クロマトグラフィー膜パッド608を通って吸収パッド610へ流れ、最終的に吸収パッド610内に拡散する。図25に示されるように、流路における後続パッドへの遷移は、コンジュゲートパッド606からクロマトグラフィー膜パッド608へ、およびクロマトグラフィー膜パッド608から吸収パッド610への流れなどのように、垂直的であり得る。
【０１７９】
図25では、パッドの構成は、検出層の前または後続のパッドにおける流れと比較して、検出層の、ある部分において向流になっている流路ももたらし得る。例えば、吸収パッド/芯610における液体は、クロマトグラフィー膜パッド608における液体の流れの方向に対して向流に流れる。検出層のこの構成は、検出層の全長さを、検出層全体にわたって単一の流路を維持する従来の検出層よりも、実質的に短くすることを可能にし得る。この構成により、液体の全流路を短縮することなく、検出層の全長さを大幅に短縮することが可能になる。したがって、この構成により、液体の流路が、検出層の全長さよりも長い、検出層が達成され得る。一部の例では、流路の長さは、検出層の長さの2または3倍であり得る。任意選択の未処理パッド614は、未処理パッド614が完全に飽和されると、開口部602を通した逆流を大幅に低減し得る。
【０１８０】
図26は、検出層の平面図および検出層600を通る液体の流れの方向を示している。液体は、検出層に進入し、サンプルパッド-コンジュゲートパッド616へ、サンプルパッド-コンジュゲートパッド616を通ってクロマトグラフィー膜パッド608へ、クロマトグラフィー膜パッド608を通って吸収パッド610へ流れ、最終的に吸収パッド610に拡散する。図26に示されるように、流路は、吸収パッド610を通る流れなどのように、カーブし得る。吸収パッド610が実質的にU字型である場合、液体の流路は、吸収パッド610のU字型に実質的に一致するようにカーブし得る。さらに、吸収パッド610を通る液体の流れの方向は、クロマトグラフィー膜パッド608を通る液体の流れの方向に対して向流であり得る。図26では、クロマトグラフィー膜パッド608からの液体の流れは、吸収パッド610に遷移するとき、吸収パッドの近位端618に流れる液体の部分と、吸収パッドの遠位端620に流れる液体の部分とに分割する。
【０１８１】
図27は、装置601の一部を切り抜いた透視図および装置601を通る液体の流れの方向を示している。液体は、開口部(図示せず)を通して検出層600に進入する。液体は、サンプルパッド-コンジュゲートパッド616へ下向きに、サンプルパッド-コンジュゲートパッド616を通ってクロマトグラフィー膜パッド608へ上向きに、クロマトグラフィー膜パッド608を通って吸収パッド610へ下向きに流れ、吸収パッド610を通して拡散する。図27では、流路は、吸収パッド610においてみられるように、カーブし得る。吸収パッド610が実質的にU字型である場合、液体の流路は、吸収パッドのU字型に実質的に一致するようにカーブし得る。さらに、吸収パッド610中の液体の流れの方向は、クロマトグラフィー膜パッド608中の液体の流れの方向に対して向流であり得る。一部の場合には、吸収パッド610における液体の流れは、クロマトグラフィー膜パッド608における液体の流れと実質的に平行であり得る。
【０１８２】
図28は、本明細書に記載の一実施形態による装置100の分解立体横断面図を示している。装置100は、サンプルパッド110、コンジュゲートパッド120、検出層130、および吸収パッドまたは芯160を含む。サンプルパッド110は、コンジュゲートパッド120の第1の部分122に隣接し、したがって、使用時、液体はサンプルパッド110からコンジュゲートパッド120に吸収される。コンジュゲートパッドの第2の部分124は、クロマトグラフィー膜130の近位端132でクロマトグラフィー膜130に隣接し、したがって、使用時、液体は近位端132でクロマトグラフィー膜に吸収され、クロマトグラフィー膜を通ってクロマトグラフィー膜130の遠位端134に向かって動く。近位および遠位端間で、クロマトグラフィー膜は、分析物-コンジュゲートタンパク質が付着する少なくとも1つのテストライン140、および抗種抗体が付着する少なくとも1つのコントロールライン150を含む。装置は、クロマトグラフィー膜130に隣接する吸収パッドまたは芯160も含み、したがって、使用時、液体は、クロマトグラフィー膜130から芯に吸収される。一部の実施形態では、複数の標的物質について試験するために、複数のテストラインが存在し得る。任意選択で、装置は、透明なカバー層170を有し得る。
【０１８３】
装置の設計は、図面中に記載された設計に限定されない。システムは、当技術分野で公知の任意の技術によって製造され得る。
【０１８４】
他の実施形態では、装置を製造する方法が、本明細書において記載される。一部の実施形態では、装置を製造する方法は、標的物質の存在を検出するように構成された検出層を用意すること、検出層の上面に上層を連結すること、および検出層の底面に底層を連結することを含む。一部の実施形態では、製造する方法は、上層に取り外し可能な層を連結することも含む。一部の実施形態では、上層への取り外し可能な層の連結の強度は、検出層への上層の連結の強度よりも弱い場合がある。
【０１８５】
図11に関して、標的物質の存在を検出するための装置500を製造する方法は、切断、形成、および吸収パッド/芯504を第1のカセット構造506の下側に置くことによって、検出層502を調製することを含む。紫外線照射硬化性接着剤が、吸収パッド504を取り囲む第1のカセット506の表面に適用される。検出層502は、第2のカセット508をUV接着剤上に置くことによって、底層でカバーされる。第2のカセット508は、UV照射によって第1のカセット構造506に連結される。硬化すると、吸収パッド504は、第1のカセット構造506および第2のカセット構造508に連結される。検出層502の調製は、テストストリップ510を上層512の下側に接着し、第1のカセット506の上側に設計されたキャビティ514内に、取り付けられたテストストリップ510とともに上層512を置くことによって継続する。接着ストリップ516は、装置500を所望の使用場所に接着するために付加され得る。
【０１８６】
装置を製造するための方法は、マーカー組成物を付与することをさらに含み得る。任意選択で、装置を製造するための方法は、マトリックスの1つを超える場所にマーカー組成物を付与することを含み得る。例えば、マーカー組成物は、マトリックスの2つの場所、マトリックスの3つの場所、マトリックスの4つの場所、マトリックスの5つの場所、マトリックスの6つの場所、マトリックスの7つの場所、マトリックスの8つの場所、マトリックスの9つの場所、またはマトリックスの10の場所に付与され得る。
【０１８７】
マトリックスを製造する方法はさらに、マーカー組成物をマトリックス上で乾燥することを含み得る。任意選択で、乾燥ステップの湿度条件は、30%から70%の間の相対湿度(例えば、40%から50%の間の相対湿度)であり得る。マーカー組成物は、組成物を室温で乾燥させることによってマトリックス上で乾燥され得る。任意選択で、組成物は、組成物を高温に加熱することによってマトリックス上で乾燥され得る。マトリックスを乾燥するための温度は、約30℃から約100℃(例えば、約40℃から約90℃、約50℃から約80℃、または約60℃から約70℃)であり得る。例えば、マトリックスを乾燥するための温度は、約90℃以下、80℃以下、70℃以下、60℃以下、50℃以下、40℃以下、または30℃以下であり得る。
【０１８８】
組成物は、5秒から数時間の範囲の期間、マトリックス上で乾燥され得る。例えば、組成物は、5秒、10秒、20秒、30秒、40秒、50秒、1分、2分、3分、4分、5分、10分、15分、30分、1時間、2時間、3時間、4時間、または5時間の期間、マトリックス上で乾燥され得る。
【０１８９】
なおさらなる実施形態において、標的物質を検出するために装置を使用する方法が本明細書に記載される。いくつかの実施形態において、使用する方法は、本明細書に記載の装置を用意すること、装置の一部を媒体に曝すこと、および標的物質の有無を判定するために指示を観察することを含む。いくつかの実施形態において、使用する方法は、検出層の少なくとも一部を曝すために、装置から取り外し可能な層を取り外すことを含む。いくつかの実施形態において、使用する方法は、視覚指示を観察することを含む。いくつかの実施形態において、使用する方法は、装置を液体媒体に曝すことを含む。いくつかの実施形態において、使用する方法は、ビール、シードル、栄養飲料、フレーバー飲料、フルーツ飲料、リカーまたは他のアルコール飲料、乳、乳含有飲料、ソーダ、スポーツ飲料、野菜飲料、水、ワイン、およびそれらの組合せのうちの少なくとも1つを含む媒体に曝され得る。いくつかの実施形態において、媒体は、非消費液体(例えば、血液、非飲料水、有機溶媒、飲料水、血清、処理廃水、未処理廃水、尿、嘔吐物、汗、涙、糞便、生殖液、他の体分泌物、またはそれらの組合せ)のうちの少なくとも1つを含み得る。いくつかの実施形態において、媒体は、溶液、懸濁液、またはエマルションのうちの少なくとも1つを含み得る。いくつかの実施形態において、媒体は、その中に浮いた固体粒子、固体材料、または氷のうちの少なくとも1つを含有し得る。いくつかの実施形態において、標的物質は、違法薬物、アミン含有化合物、ベンゾジアゼピン、分析物、麻薬、アルコール、デートレイプ薬のいずれか1つを含み得る。
【０１９０】
いくつかの実施形態において、標的物質の存在を検出するための多層検出システムが本明細書に記載される。いくつかの実施形態において、多層検出システムは、標的物質の存在に関して媒体を試験する検出手段;その内部を媒体が検出手段まで進む進入手段;少なくとも1つの外面;および標的物質が媒体中に存在するかを示すシグナルを表示するための少なくとも1つの表示領域を含み得る。
【０１９１】
いくつかの実施形態において、検出手段は、標的物質の存在を検出し、あるいはシグナルで伝える、機械部品および/または化学部品のアセンブリを指し得る。検出手段および検出層の例は、この詳細な説明全体を通じて記載される。進入手段は、媒体の試験を開始するために、検出手段まで媒体を通す、または進ませることを可能にし得る少なくとも1つの外面内の領域を指し得る。進入手段の例は、少なくとも1つの外面のボイド、穴、穿孔領域、およびこの発明を実施するための形態を通じて記載される他の進入手段を含む。少なくとも1つの外面は、システムを取り囲む環境に曝され得る表面を指し得、例えば、表面は、人体から外向きに、または人体に向かって面し得る。少なくとも1つの外面の例は、この発明を実施するための形態を通じて記載される上層、底層、および取り外し可能な層を含む。表示領域は、目に見えるシグナルが表示され得る領域を指し得る。表示領域の例は、この発明を実施するための形態を通じて記載される透明領域または少なくとも1つの外面、窓もしくは開口部および他の表示領域を含む。
【０１９２】
いくつかの実施形態において、多層検出システムはさらに、進入手段の少なくとも一部を覆う作動手段を含み得る。作動手段は、媒体への進入手段の意図しない曝露を防止し得、媒体の不慮の試験もしくは意図しない試験を防止し得、またはそうでなければ検出手段を損傷から保護し得る保護層を提供し得る。
【０１９３】
多層検出システムのいくつかの実施形態において、マトリックスは検出層内にあり得る。検出層は、第1のインジケータおよび第2のインジケータを含み得、第2のインジケータは、標的物質の存在をシグナルで伝える。任意選択で、第1のインジケータおよび第2のインジケータは、第1のインジケータおよび第2のインジケータの両方が指示を示すと、合わせた指示が使用者に通知を提供するように、相補的である。第1のインジケータは、例えば、コントロールであり得る。コントロールは、検出手段が媒体に十分に曝されたことを示し得る。第1のインジケータは、語、記号、または字のうちの少なくとも1つのある部分をシグナルで伝え得、第2のインジケータは、語、記号、または字のうちの少なくとも1つの別の部分をシグナルで伝える。任意選択で、第1のインジケータのシグナルは、標的物質の存在を使用者にシグナルで伝えるのみであり、第1のインジケータおよび第2のインジケータの両方を合わせたシグナルは、標的物質の不在を使用者にシグナルで伝える。
【０１９４】
いくつかの実施形態において、検出手段はシグナルを表示し得る。いくつかの態様において、検出手段は、検出手段の少なくとも一部が目に見えてシフトするとシグナルを表示する。場合によっては、シグナルは変色を含み得る。いくつかの態様において、シグナルは、この発明を実施するための形態を通じて記載されるインジケータを含み得る。いくつかの実施形態において、表示領域を通してシグナルが目に見え得るように、表示領域は、シグナルを表示する検出手段の一部と揃い得る。
【０１９５】
いくつかの態様において、多層検出システムは、人体の上、例えば、爪の上に配置され得、またはパッチとして使用者の皮膚の上に配置され得る。システムは、接着剤を利用して、ヒトの上に配置され得る。いくつかの実施形態において、システムは弓状形状を有し得る。いくつかの実施形態において、多層検出システムの少なくとも1つの外面は、ヒトの付け爪の形態に成形された剛性材料であり得る。他の実施形態において、多層検出システムの少なくとも1つの外面は、ヒトのネイルデカールの形態の柔軟材料であり得る。さらに他の実施形態において、多層検出システムの少なくとも1つの外面は、コーティングとして、例えば、マニキュアに似ている液体として塗布され得る。他の実施形態において、多層検出システムの少なくとも1つの外面は、リング、ブレスレット、ネックレス、チャーム、または紐の形態であり得る。
【０１９６】
いくつかの実施形態において、多層検出システムは、多層検出システムが所期の結果を達成するように機能しなくなるほど多層検出システムを損傷するであろう外力による構造変化に耐える十分な構造強度を有する。いくつかの実施形態において、多層検出システムは、圧縮力による損傷、湿気による損傷、液体による損傷、ならびに通常の摩耗および裂けを含む損傷から、収容された検出層を保護し得る。いくつかの実施形態において、多層検出システムは、検出層への影響を最小限に抑えて液体サンプル中に完全に浸漬可能であり得る。いくつかの実施形態において、多層検出システムは、検出層に影響せずに液体サンプル中に完全に浸漬可能であり得る。場合によっては、多層検出システムは、システムが完全に浸漬されたときに液体の同伴を防止する境界を有し得る。発明を実施するための形態で論じた通り、いくつかの実施形態において、多層検出システムは、標的物質の存在を検出するシステムの能力に影響せずに最大2500ニュートンの垂直外力に耐え得る。いくつかの実施形態において、多層検出システムは、標的物質の存在を検出するシステムの能力に影響せずに60ニュートンを超える軸圧縮外力に耐え得る。多層検出システムの物理的特性は、上で詳述の通り、適したポリマー材料またはポリマー材料ブレンドの選択によって選択され得る。
【０１９７】
いくつかの実施形態において、多層検出システムの検出手段は、標的物質の存在を検出する1回の使用に限られ得る。他の実施形態において、多層検出システムの検出手段は、標的物質の存在を検出する複数回の使用に用いられ得る。いくつかの実施形態において、少なくとも1つの外面が複数の検出手段と共に使用され得る。
【０１９８】
いくつかの実施形態において、少なくとも1つの外面が複数の検出手段と共に使用され得る。例えば、少なくとも1つの外面は、第1の検出手段から取り外されて、第2の検出手段に付与され得る。
【０１９９】
いくつかの実施形態において、本明細書に記載の装置およびシステムはラテラルフローアッセイを含み得る。他のアッセイが本明細書に記載の装置と共に使用され得る。いくつかの実施形態において、本明細書に記載の装置およびシステムは、比色アッセイ、電気化学アッセイ、蛍光アッセイ、放射標識アッセイ、磁気アッセイ、ラテラルフローイムノアッセイまたは同種のもののうちの1つまたは複数を含み得る。
【０２００】
いくつかの実施形態において、本明細書に記載の装置およびシステムは、標的物質に曝されてから10秒未満で、他の実施形態において、5秒未満で、さらに他の実施形態において、3秒未満で、なおさらなる実施形態において、約1秒未満で標的物質の存在を検出し得る。
【０２０１】
いくつかの実施形態において、標的物質に関して試験される液体に曝されてから、本明細書に記載の装置およびシステムは約5分未満で、他の実施形態において、約1分未満で、さらに他の実施形態において、約30秒未満で、なおさらなる実施形態において、約10秒未満で使用者に結果を提供し得る。
【０２０２】
いくつかの実施形態において、本明細書に記載の装置およびシステムは、装置が検出し得る標的物質の最低濃度によって特徴付けられ得る。例えば、ケタミンの標的物質については、装置は、ケタミンが、約5mg/mL未満、他の実施形態において、約1mg/mL未満、さらに他の実施形態において、約0.5mg/mL未満、さらに他の実施形態において、約0.1mg/mL未満の濃度で存在し得るとき、液体中に存在するケタミンを検出するように構成され得る。別の例として、ベンゾジアゼピンの標的物質については、装置は、ベンゾジアゼピンが、約5mg/mL未満、他の実施形態において、約1mg/mL未満、さらに他の実施形態において、約0.5mg/mL未満、さらに他の実施形態において、約0.05mg/mL未満、なおさらなる実施形態において、約0.005mg/mL未満の濃度で存在し得るとき、液体中に存在するベンゾジアゼピンを検出するように構成され得る。別の例として、GHBの標的物質については、装置は、GHBが、約100mg/mL未満、他の実施形態において、約50mg/mL未満、さらに他の実施形態において、約25mg/mL未満、さらに他の実施形態において、約10mg/mL未満の濃度で存在し得るとき、液体中に存在するGHBを検出するように構成され得る。別の例として、MDMAの標的物質については、装置は、MDMAが、約20mg/mL未満、他の実施形態において、約10mg/mL未満、さらに他の実施形態において、約5mg/mL未満、さらに他の実施形態において、約1mg/mL未満、なおさらなる実施形態において、約0.5mg/mL未満の濃度で存在し得るとき、液体中に存在するMDMAを検出するように構成され得る。
【０２０３】
いくつかの実施形態において、本明細書に記載の装置およびシステムは、約1年に及ぶ貯蔵寿命を有し得、他の実施形態において、約60日、さらに他の実施形態において、約30日、なおさらなる実施形態において、約15日に及ぶ貯蔵寿命を有し得る。
【０２０４】
いくつかの実施形態において、本明細書に記載の装置およびシステムは、約50%に及ぶ市販のビール、ワイン、リカー、または他のアルコール飲料中で、他の実施形態において、約75%に及ぶ市販のビール、ワイン、リカー、または他のアルコール飲料中で、さらに別の実施形態において、約90%に及ぶ市販のビール、ワイン、リカー、または他のアルコール飲料中で、なおさらなる実施形態において、約99%に及ぶ市販のビール、ワイン、リカー、または他のアルコール飲料中で標的物質の存在を検出することができる。
【０２０５】
本明細書に記載の装置のいくつかの実施形態は、他の検出デバイスと比べて低コストのデバイスを提供し得る。装置は、例えば、使用者の指の上に装置を配置することによって使用者が問題の物質を試験するための別個のデバイスを提供し得、使用者は、彼または彼女の場所を離れることなく、人目に付く状況でも単に爪を装置と共に液体に短時間挿入して液体を試験し得る。装置は、指示およびフィードバックを個別な様式で比較的短時間で使用者に提供し得る。本明細書に記載の装置は、結果を調べる訓練を受けた分析者を必要とせず、その代わりに、訓練を受けていない使用者または酔った使用者が装置を見て、標的物質が存在する可能性があるのか、ないのか判定できる。例えば、装置は、分析がより煩雑に、または紛らわしくなり得る定量的な測定ではなく、標的物質がないという定性的な指示を使用者に提供し得る。
【０２０６】
いくつかの実施形態において、装置は、明確な結果を使用者に提供し得る。例えば、変色または他の指示が肯定的に示される場合、薬物は存在しない。そのような実施形態は、安全な液体の確定的な指示として使用者により大きな信頼を提供し得る。標的物質が薬物である実施形態において、薬物が存在しないことを変色によって表す指示機構は、液体の安全性に対するより大きな信頼を使用者に与え得るため、偽陽性試験を信頼する可能性を最小限にする。
【０２０７】
この方法は、マーカーの移動を頼りにし得、マーカーの変色を頼りにし得ないため、いくつかの実施形態における方法は、色盲であり得る個体、または照明が不十分な環境にいる個体にとって有用であり得る。
【０２０８】
いくつかの実施形態において、本明細書に記載の方法、システム、および装置は、例えば、本明細書に特定した標的物質のうちの1つを摂取した可能性のある人の血液、尿、嘔吐物、またはカップの中の標的物質の存在を速やかに特定して、警察官または法医学専門家の役に立つであろう法医学的予備分析を提供し得る。有利なことに、本明細書に記載の方法および装置は、液体中の違法薬物、または物質中のある種のタンパク質およびアレルゲンなどの標的物質のリアルタイム判定を可能にする。いくつかの実施形態において、試験される液体は、液体中に天然に存在し得る他の標的物質を含み得る。
【実施例】
【０２０９】
［実施例１］
一例では、方法および装置は、アミン含有化合物または薬物を検出するために使用され得る。「アミン含有」化合物または薬物とは、本明細書で言及する場合、少なくとも1種の一級、二級、および/もしくは三級アミン、ならびに/またはその塩を有する種を含む。アミン式は、NR1R2R3(式中、R1、R2、およびR3は、互いに同じであっても異なっていてもよい)によって表され得る。本明細書に記載の通りのアミン塩は、(HNR1R2R3)+X-(式中、X-は対イオンである)として表され得る。R1、R2、およびR3には、これらに限定されないが、水素、置換および非置換、直鎖または分岐C1〜C6アルキル(例えば、メチル、エチル、プロピル、ブチル、ペンチル、ヘキシル)、置換および非置換C6〜C10アリール(例えば、ベンジル)、置換および非置換、直鎖または分岐C1〜C6アルカノール(例えば、メタノール、エタノール、プロパノール、ブタノール、ペンタノール、ヘキサノール)、置換および非置換C6〜C10アリール、置換および非置換ヘテロアリール、置換および非置換C4〜C8シクロアルキル、ならびにそれらの組合せが含まれ得、ただし、R1、R2、およびR3のすべてが水素ではあり得ない。本明細書に記載の通りのアミン含有化合物は、尿素、ならびにその誘導体および塩、例えば、硝酸尿素などの、アンモニアもしくはウロニウム化合物、またはその塩を含まない。
【０２１０】
本明細書に記載の通りのアミン含有化合物の例には、例えば、アンフェタミン、カチノン、シクロベンザプリン、ジフェンヒドラミン、ドキシラミン、エフェドリン、ケタミン、リゼルギン酸ジエチルアミド(LSD)、ミタンフェタミン、3,4-メチレンジオキシアンフェタミン(MDA)、3,4-メチレンジオキシ-メタンフェタミン(MDMA)、メトカチノン、テトラヒドロゾリン、およびそれらの塩、ならびにそれらの組合せが含まれる。
【０２１１】
一部の実施形態では、本明細書に記載の装置を使用する方法に従って検出され得るアミン含有化合物には、例えば、麻薬、抑制剤、興奮剤、幻覚剤、カンナビノイド、およびカチノンが含まれる。麻薬の代表的な種類には、あへん剤、ヘロイン、ヒドロコドン、およびモルヒネが含まれる。代表的な抑制剤には、シクロベンザプリンが含まれる。本明細書に記載の方法による検出のための興奮剤には、コカイン、アンフェタミン、3,4-メチレンジオキシ-アンフェタミン(MDA)、および3,4-メチレンジオキシ-メタンフェタミン(MDMA)が含まれる。本明細書に記載の方法による検出のための幻覚剤には、シロシビン、リゼルギン酸ジエチルアミド(LSD)、およびフェンシクリジンが含まれる。カンナビノイドには、天然および合成カンナビノイドが含まれる。カチノンには、天然および合成カチノンが含まれる。
【０２１２】
任意選択で、アミン含有化合物には、アンフェタミン、カチノン、シクロベンザプリン、ジフェンヒドラミン、ドキシラミン、エフェドリン、ケタミン、リゼルギン酸ジエチルアミド(LSD)、メタンフェタミン、3,4-メチレンジオキシアンフェタミン(MDA)、3,4-メチレンジオキシ-メタンフェタミン(MDMA)、メトカチノン、テトラヒドロゾリン、およびそれらの塩、ならびにそれらの組合せが含まれる。
【０２１３】
アミン含有化合物を検出するための装置は、マーカーを有するマトリックスを含む検出層を含み得る。一部の実施形態では、マーカーは、以下の式またはその塩を有する。
【化５】
2019510208.tif 000012
式中、R1、R2、R3、R4、R5、R6、R7、R8、R9、およびR10は、それぞれ独立して、水素、ハロゲン、ヒドロキシル、ニトロ、シアノ、トリフルオロメチル、置換または非置換アミノ、置換または非置換アルキル、置換または非置換アルケニル、置換または非置換アルキニル、置換または非置換ヘテロアルキル、置換または非置換ヘテロアルケニル、置換または非置換ヘテロアルキニル、置換または非置換シクロアルキル、置換または非置換シクロアルケニル、置換または非置換シクロアルキニル、置換または非置換アリール、置換または非置換ヘテロアリール、置換または非置換カルボニル、置換または非置換カルボキシル、置換または非置換チオ、および置換または非置換スルホニルからなる群から選択され;R11は、水素、または置換もしくは非置換アルキルであり;Xは、ヒドロキシル、または置換もしくは非置換アミノであり;Yは、O、またはNR12であり、R12は、水素、または置換もしくは非置換アルキルである。
【０２１４】
一部の実施形態では、マーカーは、以下の式またはその塩を有する。
【化６】
2019510208.tif 000013
式中、R1、R2、R3、R4、R5、R6、R7、R8、R9、およびR10は、それぞれ独立して、水素、ハロゲン、ヒドロキシル、ニトロ、シアノ、トリフルオロメチル、置換または非置換アミノ、置換または非置換アルキル、置換または非置換アルケニル、置換または非置換アルキニル、置換または非置換ヘテロアルキル、置換または非置換ヘテロアルケニル、置換または非置換ヘテロアルキニル、置換または非置換シクロアルキル、置換または非置換シクロアルケニル、置換または非置換シクロアルキニル、置換または非置換アリール、置換または非置換ヘテロアリール、置換または非置換カルボニル、置換または非置換カルボキシル、置換または非置換チオ、および置換または非置換スルホニルからなる群から選択され;R11は、水素、または置換もしくは非置換アルキルである。
【０２１５】
一部の実施形態では、マーカーは、以下の式を有する。
【化７】
2019510208.tif 000014
式中、R1、R2、R3、R4、R5、R6、R7、R8、R9、およびR10は、それぞれ独立して、水素、ハロゲン、ヒドロキシル、ニトロ、シアノ、トリフルオロメチル、置換または非置換アミノ、置換または非置換アルキル、置換または非置換アルケニル、置換または非置換アルキニル、置換または非置換ヘテロアルキル、置換または非置換ヘテロアルケニル、置換または非置換ヘテロアルキニル、置換または非置換シクロアルキル、置換または非置換シクロアルケニル、置換または非置換シクロアルキニル、置換または非置換アリール、置換または非置換ヘテロアリール、置換または非置換カルボニル、置換または非置換カルボキシル、置換または非置換チオ、および置換または非置換スルホニルからなる群から選択され;M+はカチオンである。一部のそのような実施形態では、M+は、Na+、K+、Li+、Cs+、Rb+、Ag+、Au+、Cu+、NH4+、NR4+、およびNR1R2R3+からなる群から選択される。
【０２１６】
本明細書に記載のマーカー組成物における使用のためのマーカーには、以下の式によって表される化合物、またはその塩が含まれる。
【化８】
2019510208.tif 000015
式中、R1、R2、R3、R4、およびR5は、それぞれ独立して、水素、ハロゲン、ヒドロキシル、ニトロ、シアノ、トリフルオロメチル、置換または非置換アミノ、置換または非置換アルキル、置換または非置換アルケニル、置換または非置換アルキニル、置換または非置換ヘテロアルキル、置換または非置換ヘテロアルケニル、置換または非置換ヘテロアルキニル、置換または非置換シクロアルキル、置換または非置換シクロアルケニル、置換または非置換シクロアルキニル、置換または非置換アリール、置換または非置換ヘテロアリール、置換または非置換カルボニル、置換または非置換カルボキシル、置換または非置換チオ、および置換または非置換スルホニルからなる群から選択される。一部の実施形態では、XおよびYは、それぞれ独立して、ヒドロキシル、または置換もしくは非置換アミノである。
【０２１７】
マーカーを含む検出層を含む装置は、液体に曝され得る。液体中にアミン含有化合物(例えば、アミン含有薬物)が存在しないならば、マーカーの色は、溶媒前端がマトリックスを通して前進するのにつれて、これとともに自由に動く。しかし、液体中に1種または複数のアミン含有化合物(例えば、アミン含有薬物)が存在する場合、色は、溶媒前端とともに前進しないか、またはブランクコントロールサンプルにおける前進の速度に対してゆっくりとのみ前進する。
【０２１８】
検出しようとするアミン含有化合物が存在するならば、マーカーの小さなドットまたはラインは、実質的に動かない(例えば、図4Aに示されるようなものを参照されたい)。液体中にアミン含有化合物が検出可能な量で存在しない場合、マーカードットまたはラインは、動いているマーカードットまたはラインの後ろにいくらかの尾部をおそらく伴って、前端に沿って液体とともに実質的に動く(例えば、図4Bに示されるようなものを参照されたい)。本明細書に記載され、示される通り他のインジケータ、例えば、図3Bにされるような「OK」の表示が、実施形態において使用され得る。
【０２１９】
試験しようとする物質は、他の物質を含み得るが、本明細書に記載の方法および装置は、「脱法ドラッグ」、ならびに他の幻覚剤、向精神薬、および解離性薬物を検出することができ、これはその量が、ビール、ワインなどに天然に存在し得るアミン含有化合物の量よりもはるかに多いためである。例えば、ケタミンの用量は、典型的には40〜250mgのオーダーであり、MDMAの用量は、典型的には30〜200mgであり、MDAの用量は、典型的には30〜200mgであり、メタンフェタミンの用量は、典型的には5〜150mgであり、アンフェタミンの用量は、典型的には10〜200mgである。これらの量は、飲料に入れるか、または不正に混入された場合、一部の場合には、天然に存在するアミン含有化合物よりも最大100倍(またはそれ以上)多くなり得る。
【０２２０】
別の例では、標的物質を検出するための装置は、ラテラルフローアッセイを含む検出層、例えば、その全体が参照により本明細書に組み込まれる、Undercover Colors, Inc.によって出願され、本出願と同日に提出された、「Methods and Apparatus for Detecting Compounds in Liquids」と題するPCT特許出願において記載され、示されているものなどを含み得る。ある特定の実施形態では、装置により、アミン含有化合物が検出され得る。一部のそのような実施形態では、検出層は、以下のように調製され得る。
【０２２１】
［実施例２］
本発明のラテラルフローイムノアッセイを、以下のように調製した。ベンゾテストライン溶液を、pH7.4リン酸緩衝食塩水(1x)で2mg/mLに希釈した(ベンゾジアゼピン-BSA、5:1比)溶液を使用して調製した。ベンゾコントロールライン溶液を、pH7.4リン酸緩衝食塩水(1x)で1mg/mLに希釈したヤギ抗マウス抗体溶液を使用して調製した。希釈したベンゾテストライン溶液のテストラインを、約120秒で4cmの毛管上昇時間を有する、FF120HP(GE Healthcare)ニトロセルロースストリップの底部から12mmに捺染した。希釈したベンゾコントロールライン溶液のコントロールラインをテストラインの上1.5mmに捺染した。捺染したストリップを、強制給気オーブンに入れて、湿度10%、37℃で60分間乾燥し、次いで、これを使用するまで乾燥機中、湿度20%で保管した。捺染したFF120HPニトロセルロースストリップを、Abcamイムノアッセイ緩衝液(BSAを含まない)で処理し、強制給気オーブンに入れて、湿度10%、37℃で60分間乾燥し、次いで、これを使用するまで乾燥機中、湿度20%で保管した。
【０２２２】
モノクロナールマウス抗ベンゾジアゼピン抗体溶液を、Zebaスピンカラム(Thermo Scientific、PN:89882)を使用してまず脱塩して、ストック緩衝液を100mM、pH7.4リン酸ナトリウム緩衝液で置き換えることによって、モノクロナールマウス抗ベンゾジアゼピン抗体-金NPコンジュゲートを調製した。次いで、PBS中、脱塩したモノクロナールマウス抗ベンゾジアゼピン抗体溶液を、50mMホウ酸ナトリウム緩衝液中、40nmコロイド状金ナノ粒子にコンジュゲートさせた。コンジュゲーション工程の間、5mMホウ酸ナトリウム緩衝液を5%BSAとともにコンジュゲーション溶液に添加した。モノクロナールマウス抗ベンゾジアゼピン抗体の40nm金NPへのコンジュゲーションが完了すると、モノクロナールマウス抗ベンゾジアゼピン抗体-金NPコンジュゲートを濃縮し、続けて、0.5%魚皮ゼラチンおよび0.1%Tween80を含有する100mMホウ酸ナトリウム緩衝液でOD10に希釈した。
【０２２３】
Ahlstrom 8964ガラスファイバーパッドのストリップを、1%BSA、5%スクロース、2%トレハロース、0.25%Tween 20、および0.15M KClを含有する50mMホウ酸ナトリウムで前処理することによって、コンジュゲートパッドを調製し、次いで、前処理した6614ストリップを湿度10%、37℃で強制給気オーブンに60分間入れ、次いで使用するまで乾燥機中、湿度20%で保管した。希釈した緩衝コンジュゲート溶液を、8864ストリップにわたって連続的に、1センチメートル当たり8uLの率で捺染し、次いで、ストリップを湿度10%、40℃で強制給気オーブンに60分間入れ、次いで、乾燥機中、湿度20%で保管した。
【０２２４】
サンプルパッドを調製するために、CF4のストリップ(GE Healthcare)を1M K2CO3で処理し、次いで、ストリップを湿度10%、40℃で強制給気オーブンに60分間入れ、次いで、乾燥機中、湿度20%で保管した。ニトロセルロースの捺染したストリップを接着性裏材に適用することによって、マスターカードを組み立てた。コンジュゲートパッドを、ニトロセルロースの底部と2mm重なるように、適用した。サンプルパッドを、コンジュゲートパッドの底部2mm重なるように、適用した。Ahlstrom 319芯パッドを、ニトロセルロースの上部と2mm重なるように、適用した。次いで、マスターカードを、4mm幅のストリップに切断した。
【０２２５】
［実施例３］
緩衝溶液を、以下のように調製した。
【０２２６】
抗体脱塩緩衝溶液:分子生物学試薬水(Sigma、PN:W4502)を総バッチ体積の0.80%の量で添加し、一塩基性リン酸ナトリウム(Sigma、PN:S3139)を10.2g/L×バッチ体積(L)の量で添加し、二塩基性リン酸ナトリウム(Sigma、PN:S9763)を58.91g/L×バッチ体積(L)の量で添加し、最終体積まで分子生物学試薬水(Sigma、PN:W4502)を、この順で合わせることによって、100mMリン酸ナトリウム、pH7.5緩衝液を調製した。pHを、NaOHまたは濃HClを使用して7.5に調節した。
【０２２７】
コンジュゲーションブロッキング緩衝溶液:四ホウ酸ナトリウム十水和物(Fisher、PN:AC41945-0010):11.4g/L、ホウ酸(Fisher、PN:A74-1):1g/L、ウシ血清アルブミン(BSA、Equitech、PN:BAH64):100g/L、最終体積まで分子生物学試薬水(Sigma、PN:W4502)を、この順で合わせることによって、50mMホウ酸ナトリウム、10%BSA、pH9.0緩衝液を調製し、pHを、NaOHまたはHClを使用して9.0に調節し、次いで、緩衝液を0.2μmフィルター(VWR、PN:73520-994)を使用して濾過した。
【０２２８】
コンジュゲート希釈緩衝溶液:四ホウ酸ナトリウム十水和物(Fisher、PN:AC41945-0010):11.4g/L、ホウ酸(Fisher、PN:A74-1):1g/L、ウシ血清アルブミン(BSA、Equitech、PN:BAH64):10g/L、スクロース(Sigma、PN:84097)、トレハロース(Sigma、PN:90210)、最終体積まで分子生物学試薬水(Sigma、PN:W4502)を、この順で合わせることによって、50mMホウ酸ナトリウム、1%BSA、5%トレハロース、および20%スクロース、pH9.0緩衝液を調製した。
【０２２９】
クロマトグラフィー膜緩衝溶液:緩衝液1リットル当たり、一塩基性リン酸ナトリウム(Sigma、PN:S3139):0.204g、二塩基性リン酸ナトリウム(Sigma、PN:S9763):1.178g、スクロース(Sigma、PN:84097):1.0g、ウシ血清アルブミン(BSA、Equitech、PN:BAH64):1.0g、ポリ(ビニルピロリドン)-40(PVP-40、Sigma、PN:PVP-40):2.0g、1リットルまで分子生物学試薬水(Sigma、PN:W4502)を、この順で合わせることによって、10mMリン酸ナトリウム、0.1%スクロース、0.1%BSA、0.2%PVP-40、pH7.5緩衝液を、調製した。pHを、NaOHまたはHClを使用して7.2に調節し、次いで、緩衝液を0.2μmフィルター(VWR、PN:73520-994)を使用して濾過した。
【０２３０】
コンジュゲートパッド緩衝溶液:トリス塩基(Sigma、PN:T1375):114.8g/L、ウシ血清アルブミン(BSA、Equitech、PN:BAH64):30g/L、ポリビニルピロリドン-40(PVP-40、Sigma、PN:PVP-40):10g/L、Triton X-100(Sigma、PN:T8787):2.5g/L、Pluronic F-68(Thermo Fisher、PN:24040032):5g/Lを、この順で合わせることによって、0.5Mトリス、3%BSA、1%PVP-40、0.25%Triton X-100、0.5%Pluronic F-68、pH8.0緩衝液を事前調製し、最終体積まで分子生物学試薬水(Sigma、PN:W4502)を添加した。
【０２３１】
サンプル領域緩衝溶液:炭酸カリウム(Sigma、PN:P1472):138.2g/L、Triton X-305(Sigma、PN:X305):3.6g/Lを、この順で合わせることによって、0.25%Triton X-305を含む、1.0M炭酸カリウム(K2CO3)緩衝液、pH7.0緩衝液を事前調製し、最終体積まで分子生物学試薬水(Sigma、PN:W4502)を添加した。
【０２３２】
［実施例４］
合わせたサンプル-コンジュゲートパッドを含む本発明のラテラルフローイムノアッセイを、以下のように調製した。ベンゾテストライン溶液を、pH7.4リン酸緩衝食塩水(1x)で4mg/mLに希釈した(ベンゾジアゼピン-BSA、5:1比)溶液を使用して、調製した。ベンゾコントロールライン溶液を、pH7.4リン酸緩衝食塩水(1x)で1mg/mLに希釈したヤギ抗マウス抗体溶液を使用して、調製した。希釈したベンゾテストライン溶液のテストラインを、約85±10秒で4cmの毛管上昇時間を有する、8mm幅のCN095(Sartorius)ニトロセルロースストリップの底部から5mmに捺染した。希釈したベンゾコントロールライン溶液のコントロールラインをテストラインの上2mmに捺染した。捺染したストリップを、強制給気オーブンに入れて、湿度10%、40℃で30分間乾燥し、次いで、これを乾燥機中、湿度20%で16時間保管した。捺染したCN095ニトロセルロースストリップ(Sartorius)を、実施例3で上記のクロマトグラフィー膜緩衝液で処理し、強制給気オーブンに入れて、湿度10%、40℃で30分間乾燥し、次いで、これを乾燥機中、湿度20%で16時間保管した。
【０２３３】
Zebaスピンカラム(Thermo Scientific、PN:89882)を使用してモノクロナールマウス抗ベンゾジアゼピン抗体溶液をまず脱塩して、ストック緩衝液を100mM、pH7.4リン酸ナトリウム緩衝液で置き換えることによって、モノクロナールマウス抗ベンゾジアゼピン抗体-金NPコンジュゲートを調製した。次いで、PBS中、脱塩したモノクロナールマウス抗ベンゾジアゼピン抗体溶液を、40nmコロイド状金ナノ粒子にコンジュゲートさせた。コンジュゲーション工程の間、コンジュゲーションブロッキング緩衝液を、コンジュゲーション溶液に添加した。モノクロナールマウス抗ベンゾジアゼピン抗体の40nm金NPへのコンジュゲーションが完了すると、モノクロナールマウス抗ベンゾジアゼピン抗体-金NPコンジュゲートを濃縮し、続いて、実施例3で上記のコンジュゲート希釈緩衝液でOD15に希釈した。
【０２３４】
合わせたサンプル-コンジュゲートパッドを、Ahlstrom 6614ポリエステルファイバーパッドのストリップを、実施例3で上記のコンジュゲートパッド緩衝液で前処理することによって調製し、次いで、前処理した6614ストリップを、湿度10%、40℃で強制換気オーブンに60分間入れ、次いで、乾燥機中、湿度20%で16時間保管した。合わせたサンプル-コンジュゲートパッドのサンプル領域を調製するために、Ahlstrom 6614ポリエステルファイバーパッドのサンプル領域のみを、実施例3で上記のサンプル領域緩衝液で処理した。希釈した緩衝コンジュゲート溶液を、6614のストリップにわたってコンジュゲート領域のみに連続的に、1センチメートル当たり5uLの率で捺染し、次いで、ストリップを湿度10%、40℃で強制給気オーブンに60分間入れ、次いで、乾燥機中、湿度20%で16時間保管した。
【０２３５】
ニトロセルロースの捺染したストリップを接着性裏材に適用することによって、マスターカードを組み立てた。サンプル/コンジュゲートパッドを、ニトロセルロースの底部と2mm重なるように、適用した。Ahlstrom 319芯パッドを、ニトロセルロースの上部と2mm重なるように、適用した。次いで、マスターカードを、4mm幅のストリップに切断した。
【０２３６】
［実施例５］
ラテラルフローアッセイ結果に対する、K2CO3およびTRISサンプルパッド処理の効果をここに提供する。ラテラルフローアッセイを、表1のアッセイはサンプルパッド/領域前処理を有さないこと、および表2のアッセイは、カリウムOKを含むサンプル領域緩衝溶液で前処理したことを除いて、実施例4の工程によって調製した。チェックマークは、アッセイの失敗がないことを示している。Xは、コンジュゲートのテストラインへの非特異的結合による、偽陰性結果に等しい。偽陰性結果は、ホットコーヒーでの一例を除いて、前処理によって克服された。
手順:
1.)実施例4に記載の手順に従ってアッセイを調製する。アッセイの半分は、サンプル領域緩衝液の添加なしで調製する。
2.)列挙した各飲料の個別のスパイク溶液を調製する。飲料を、最終濃度1000ng/mLまでのアルプラゾラム、ジアゼパム、またはフルニトラゼパムのいずれかでスパイクする。
3.)示された飲料当たり3つのアッセイの未処理サンプル領域に、20μLの示されたブランク飲料を付着させ、1分の時点での結果を記録する。
4.)示された飲料当たり3つのアッセイの未処理サンプル領域に、20μLの示されたスパイク飲料を付着させ、1分の時点での結果を記録する。
5.)示された飲料当たり3つのアッセイの処理サンプル領域に、20μLの示されたブランク飲料を付着させ、1分の時点での結果を記録する。
6.)示された飲料当たり3つのアッセイの処理サンプル領域に、20μLの示されたスパイク飲料を付着させ、1分の時点での結果を記録する。
【表１】
2019510208.tif 000016
2019510208.tif 000017
【表２】
2019510208.tif 000018
2019510208.tif 000019
【０２３７】
［実施例６］
比較アッセイと比べた本発明のアッセイにおける試験結果の迅速な生成を提供する。ラテラルフローアッセイを、実施例4の工程によって調製し、試験液体に曝した30秒後に、市販のラテラルフローアッセイ(DBZ-114、Innovacon、San Deigo、CAによって流通)と比較した。本発明のアッセイ結果は、30秒までに完全に生成されるが、比較アッセイは、30秒の時点では完全には生成されていなかった。
手順:
1.)実施例3に記載の手順に従ってアッセイを調製する。直線状アッセイを調製するために、長方形Ahlstrom 319芯を使用する。小型化アッセイを調製するために、U字型Ahlstrom 319芯を使用する。
2.)小型化および直線状アッセイを、試験シートに配置する。
3.)ブランクと印をつけた直線状アッセイのサンプル領域に、20μLのブランクCoronaビールを付着させる。
4.)直線状アッセイのサンプル領域に、フルニトラゼパム1000ng/mLでスパイクした20μLのCoronaビールを付着させる。
5.)ブランクと印をつけたU芯アッセイのサンプルパッドに、20μLのブランクCoronaビールを付着させる。
6.)U芯アッセイのサンプルパッドに、フルニトラゼパム1000ng/mLでスパイクした20μLのCoronaビールを付着させる。
7.)30秒の時点で写真を撮る。
【０２３８】
結果を図29に示す。左に示されるのが実施例4によって調製したラテラルフローアッセイであり、右に示されるのが市販のラテラルフローアッセイである。
【０２３９】
［実施例７］
飲料構成成分により、比較アッセイにおいては偽陰性結果が生じたが、本発明のアッセイでは生じなかった。実施例6において使用した通りの、市販の比較アッセイは、市販のアッセイの仕様のために、ウィスキーおよびモスカートで生成5分後に失敗している(偽陰性による)。市販のアッセイは、ダイキリで完全に実行を失敗し、5分後、結果が目視できない。本発明のアッセイ(実施例4の通りに調製)は、すべての場合に成功裡に実施され、偽陰性結果はなかった。
手順:
1.)実施例3に記載の手順に従って小型アッセイを調製する。
2.)小型化および市販のアッセイを、試験シートに配置する。
3.)ブランクと印をつけた小型アッセイのサンプル領域に、20μLの示したブランク飲料を付着させる。
4.)小型アッセイのサンプル領域に、フルニトラゼパム1000ng/mLでスパイクした20μLの示した飲料を付着させる。
5.)ブランクと印をつけた市販のアッセイのサンプルパッドに、100μLの示したブランク飲料を付着させる。
6.)市販のアッセイのサンプルパッドに、フルニトラゼパム1000ng/mLとともに100μLの示した飲料を付着させる。
7.)市販のアッセイが完全に生成する時間を待って、5分の時点で写真を撮る。
【０２４０】
ダイキリ、ウィスキー、および水についての結果を図30に示し、Corona、オレンジジュース、およびモスカートについては図31に示す。いずれの図においても、上の6つが市販のアッセイであり、下の6つが本発明のアッセイである。
【０２４１】
［実施例８］
U字型芯により、性能に影響を及ぼすことなくアッセイ長が短縮される。液体路が、アッセイ長よりも長い、U字型芯を有する本発明のアッセイ(実施例4の通りに調製)(右に示される)は、流体路がアッセイ長と等しい、直線状芯を有する本発明のアッセイ(実施例4の通りに調製)(左に示される)と、まったく同じように実施される。
手順:
1.)実施例3に記載の手順に従ってアッセイを調製する。直線状アッセイを調製するために、長方形Ahlstrom 319芯を使用する。小型化アッセイを調製するために、U字型Ahlstrom 319芯を使用する。
2.)小型化および直線状アッセイを、試験シートに配置する。
3.)ブランクと印をつけた直線状アッセイのサンプル領域に、20μLのブランクCoronaを付着させる。
4.)直線状アッセイのサンプル領域に、フルニトラゼパム1000ng/mLでスパイクした20μLのCoronaを付着させる。
5.)ブランクと印をつけたU芯アッセイのサンプルパッドに、20μLのブランクCoronaを付着させる。
6.)U芯アッセイのサンプルパッドに、フルニトラゼパム1000ng/mLでスパイクした20μLのCoronaを付着させる。
7.)30秒の時点で写真を撮る。
【０２４２】
結果を図32に示す。右がU字型芯アッセイであり、左が直線状芯アッセイである。
【０２４３】
添付の特許請求の範囲の装置、システム、および方法は、特許請求の範囲の数個の態様の例示として意図される、本明細書に記載の特定の装置、システム、および方法によって範囲が限定されず、機能的に同等な任意の装置、システム、および方法が、特許請求の範囲の範囲内に入ることが意図される。本明細書に示され、記載されるものに加えて、装置、システム、および方法の様々な変更形態が添付の特許請求の範囲の範囲内に入ることが意図される。さらに、ある特定の代表的な装置およびシステム要素および方法ステップのみが、本明細書で開示され、具体的に記載されているが、装置およびシステム要素および方法ステップの他の組合せも、たとえ具体的に示されていなくても、添付の特許請求の範囲の範囲内に入ることが意図される。したがって、ステップ、成分、構成成分、または構成要素の組合せが、本明細書で明示的に記述され得るが、ステップ、成分、構成成分、および構成要素の他の組合せが、たとえ明示的に述べられていなくても、含まれる。本明細書で使用される場合、用語「含む(comprising)」およびその変化形は、用語「含む(including)」およびその変化形と同義に使用され、オープンで、非限定的な用語である。用語「含む(comprising)」および「含む(including)」は、本明細書において、様々な実施形態を記載するために使用されているが、用語「から本質的になる」および「からなる」を、本発明のより特定の実施形態を提供するために「含む(comprising)」および「含む(including)」の代わりに使用することができ、これもまた開示される。
【図１】
2019510208.tif 000020
【図２】
2019510208.tif 000021
【図３Ａ】
2019510208.tif 000022
【図３Ｂ】
2019510208.tif 000023
【図３Ｃ】
2019510208.tif 000024
【図４Ａ】
2019510208.tif 000025
【図４Ｂ】
2019510208.tif 000026
【図５】
2019510208.tif 000027
【図６】
2019510208.tif 000028
【図７】
2019510208.tif 000029
【図８】
2019510208.tif 000030
【図９】
2019510208.tif 000031
【図１０】
2019510208.tif 000032
【図１１Ａ】
2019510208.tif 000033
【図１１Ｂ】
2019510208.tif 000034
【図１２Ａ】
2019510208.tif 000035
【図１２Ｂ】
2019510208.tif 000036
【図１３Ａ】
2019510208.tif 000037
【図１３Ｂ】
2019510208.tif 000038
【図１３Ｃ】
2019510208.tif 000039
【図１３Ｄ】
2019510208.tif 000040
【図１４Ａ】
2019510208.tif 000041
【図１４Ｂ】
2019510208.tif 000042
【図１５Ａ】
2019510208.tif 000043
【図１５Ｂ】
2019510208.tif 000044
【図１５Ｃ】
2019510208.tif 000045
【図１５Ｄ】
2019510208.tif 000046
【図１６Ａ】
2019510208.tif 000047
【図１６Ｂ】
2019510208.tif 000048
【図１６Ｃ】
2019510208.tif 000049
【図１７】
2019510208.tif 000050
【図１８Ａ】
2019510208.tif 000051
【図１８Ｂ】
2019510208.tif 000052
【図１８Ｃ】
2019510208.tif 000053
【図１９】
2019510208.tif 000054
【図２０】
2019510208.tif 000055
【図２１】
2019510208.tif 000056
【図２２】
2019510208.tif 000057
【図２３Ａ】
2019510208.tif 000058
【図２３Ｂ】
2019510208.tif 000059
【図２４Ａ】
2019510208.tif 000060
【図２４Ｂ】
2019510208.tif 000061
【図２５】
2019510208.tif 000062
【図２６】
2019510208.tif 000063
【図２７】
2019510208.tif 000064
【図２８】
2019510208.tif 000065
【図２９】
2019510208.tif 000066
【図３０】
2019510208.tif 000067
【図３１】
2019510208.tif 000068
【図３２】
2019510208.tif 000069
【国際調査報告】
2019510208.tif 000070
2019510208.tif 000071